(57)【特許請求の範囲】
【請求項１】
使用者の身体部分に圧迫を加えるための圧迫システムであって、
使用者の前記身体部分の一部分を実質的に覆うためのスリーブを備え、
前記スリーブは、２つの横方向側縁部を有し、第１の横方向側縁部から第２の横方向側縁部への横断方向において、前記スリーブは、第１の横方向側領域、中央領域、及び第２の横方向側領域を備え、
前記使用者の前記身体部分に前記圧迫を与える、前記スリーブの少なくとも前記中央領域は、前記スリーブの前記横断方向及び長手方向に弾性を有する主材料からなり、
前記主材料は、前記スリーブの前記横断方向における１０Ｎ／ｃｍ幅の荷重下での最大伸長率は５％〜３５％であり、力／ｃｍ幅は０．１Ｎ／ｃｍ〜０．９Ｎ／ｃｍの範囲である領域における張力−伸長曲線の初期傾斜が０．９Ｎ／（ｃｍ・％）以下であるように、前記スリーブの前記方向のうちの第１のスリーブ方向に張力及び伸長特性を有し、
前記圧迫システムは、解放可能な閉鎖システムを更に備え、前記閉鎖システムは、使用時に、前記閉鎖システムの閉鎖に際して、前記スリーブは前記使用者の前記身体部分の周囲で拘束され、締め付けられるように前記スリーブに対して構成及び配置される、使用者の身体部分に圧迫を加えるための圧迫システム。
【請求項２】
前記主材料は、力／ｃｍ幅は０．１Ｎ／ｃｍ〜０．９Ｎ／ｃｍの範囲の曲線の領域における張力−伸長曲線の前記初期傾斜が０．９Ｎ／（ｃｍ・％）以下、０．７５Ｎ／（ｃｍ・％）以下、０．５０Ｎ／（ｃｍ・％）以下、又は、０．３Ｎ／（ｃｍ・％）以下であるように、前記スリーブの前記方向のうちの前記第１のスリーブ方向とは異なる第２のスリーブ方向に張力及び伸長特性を有する、請求項１に記載の圧迫システム。
【請求項３】
前記主材料は、前記張力対伸長曲線の初期傾斜が０．０５Ｎ／（ｃｍ・％）以上であるように、前記第２のスリーブ方向に張力及び伸長特性を有する、請求項２に記載の圧迫システム。
【請求項４】
前記主材料は、前記張力対伸長曲線の初期傾斜が０．７５Ｎ／（ｃｍ・％）以下、０．５０Ｎ／（ｃｍ・％）以下、又は、０．３Ｎ／（ｃｍ・％）以下であるように、前記第１のスリーブ方向に張力及び伸長特性を有する、請求項１〜３のいずれか一項に記載の圧迫システム。
【請求項５】
前記主材料は、前記張力対伸長曲線の初期傾斜が０．０５Ｎ／（ｃｍ・％）以上であるように、前記第１のスリーブ方向に張力及び伸長特性を有する、請求項１〜４のいずれか一項に記載の圧迫システム。
【請求項６】
前記第１のスリーブ方向は、前記スリーブの前記横断方向である、請求項１〜５のいずれか一項に記載の圧迫システム。
【請求項７】
前記主材料の前記長手方向における最大伸長率は、１０Ｎ／ｃｍ幅の荷重下で５％〜７０％である、請求項１〜６のいずれか一項に記載の圧迫システム。
【請求項８】
１０Ｎ／ｃｍ幅の荷重下での前記スリーブの前記横断方向及び前記長手方向における前記主材料の前記最大伸長率の合計は、１０％〜７５％の範囲内である、請求項１〜７のいずれか一項に記載の圧迫システム。
【請求項９】
前記主材料の前記スリーブの前記横断方向及び／又は前記長手方向の回復伸長率は、９０％以上、又は、９５％以上である、請求項１〜８のいずれか一項に記載の圧迫システム。
【請求項１０】
前記主材料の前記横断方向及び／又は前記長手方向の曲げ長さは、２０ｃｍ以下、１５ｃｍ以下、１０ｃｍ以下、又は、５．０ｃｍ以下であり、及び／又は、前記主材料の前記横断方向及び／又は前記長手方向の曲げ剛性は、１５０ｍＮ・ｃｍ以下、１２５ｍＮ・ｃｍ以下、７５ｍＮ・ｃｍ以下、又は、３５ｍＮ・ｃｍ以下である、請求項１〜９のいずれか一項に記載の圧迫システム。
【請求項１１】
前記主材料の内側表面から外側表面の、及び／又は、前記外側表面から前記内側表面の空気透過率は、２００Ｐａの試験圧を使用した試験ＩＳＯ  ９２３７−１９９５によれば、少なくとも２０ｃｍ／秒、少なくとも６０ｃｍ／秒、又は、少なくとも１００ｃｍ／秒である、請求項１〜１０のいずれか一項に記載の圧迫システム。
【請求項１２】
前記主材料の内側表面から外側表面までの水蒸気透過率は、ＩＳＯ  １５１０６第１部に従って測定した場合に、１０００ｇ／（ｍ２・２４ｈ）以上、１６００ｇ／（ｍ２・２４ｈ）以上、２２００ｇ／（ｍ２・２４ｈ）以上、又は、２８００ｇ／（ｍ２・２４ｈ）以上である、請求項１〜１１のいずれか一項に記載の圧迫システム。
【請求項１３】
前記主材料の坪量は、１００ｇ／ｍ２以上、１５０ｇ／ｍ２以上であり、２００ｇ／ｍ２以上、又は、２５０ｇ／ｍ２以上である、請求項１〜１２のいずれか一項に記載の圧迫システム。
【請求項１４】
前記スリーブ及び前記閉鎖システムは、使用時に、前記閉鎖システムの閉鎖に際して、前記スリーブの２つの前記横方向縁部同士は互いに引き寄せられるが重なり合わないように構成及び配置されている、請求項１〜１３のいずれか一項に記載の圧迫システム。
【請求項１５】
前記スリーブの前記第１の横方向側領域に、複数の締結バンドは前記スリーブの実質的に前記長手方向に沿って提供されており、
前記締結バンドは、前記締結バンドが前記スリーブの前記第１の横方向側縁部から前記スリーブの実質的に前記横断方向に延びているように、前記スリーブの前記第１の横方向側領域と一体的であり、又は
前記締結バンドのそれぞれは近位端部分を備え、前記近位端部分は、前記締結バンドが前記第１の横方向側縁部にわたって前記スリーブの実質的に前記横断方向に延びるように、前記スリーブの前記第１の横方向側領域に解放可能に又は固定的に取り付けられている、請求項１〜１４のいずれか一項に記載の圧迫システム。
【発明の詳細な説明】
【技術分野】
【０００１】
本開示は、圧迫システムに関し、特に、浮腫及び他の静脈性及びリンパ性の疾患、より詳細には、静脈性下腿潰瘍及び手足のリンパ浮腫の治療及び／又は管理に使用するための使用者の身体部分（例えば、手足、胴体、首又は頭部）に圧迫を加えるための圧迫システムに関する。
【背景技術】
【０００２】
圧迫療法は、一般的に、心臓に血液又はリンパ液を還流させる上で不充分な静脈又はリンパ系を支援するために行われる。したがって、圧迫は、浮腫並びに他の静脈及びリンパ管疾患、例えば、静脈性下腿潰瘍及びリンパ浮腫などの他の臨床的状態の治療に使用するための標準的な治療法と一般的に考えられている。静脈リンパの還流、及び慢性静脈性（下腿）潰瘍の治癒に対する圧迫療法の有利な効果については、医学文献に多くが記載されている。
【０００３】
圧迫包帯は、圧迫療法で使用される一般的な圧迫システムの１つである。このような圧迫包帯の使用には、一般的に多層圧迫包帯の適用をともなう。多くのこのような多層包帯システムの背後にある１つの考え方は、複数の異なる種類の包帯層の組み合わせを使用することで、複数層で圧力を加え（累積圧力を与える）、しっかりと固定された持続的な圧迫を与えることである。市販の圧迫包帯としては、「３Ｍ  ＣＯＢＡＮ  ２」及び「３Ｍ  ＣＯＢＡＮ  ２  ＬＩＴＥ」の商品名で販売されている包帯が挙げられる。一般的に、適正かつ効果的な圧迫包帯を確実に施すためには、通常は医療従事者が包帯を適用する必要がある。リンパ浮腫の治療又は浮腫が存在する他の圧迫療法の開始時には、圧迫療法の間に浮腫の量が低減することにともなう圧迫包帯の圧力の変化（例えば圧力の低下）及び／又は圧力の均一性のために、圧迫包帯を頻繁に交換する必要が通常あることを考慮すると、継続的な圧迫治療を行うために所望の圧力プロファイルが得られるように医療従事者に圧迫包帯を交換及び再適用させる必要があることは制約的であり得る。
【０００４】
圧迫ストッキングは、使用者自身によってしばしば着用される。しかしながら、こうした圧迫ストッキングは、しばしば望ましい圧迫圧力を与えず、あるいは装着が極めて困難である。更に、圧迫ストッキングは、着脱を可能とするような高い延伸性を示す高い弾性を有する必要がある。こうしたストッキングは、手足に着用されている間、高い延伸性を保持するものであり、したがって圧迫療法における効果の点で比較的制約がある。
【０００５】
他の圧迫システムも市販及び／又は提案されている。例えば、米国特許第６，１５２，８９３号（Ｐｉｇｇら、ＳＭＩＴＨ＆ＮＥＰＨＥＷ）は、手足に巻かれる柔軟な非伸展性シートを備える、手足に所定の圧迫を加えるための圧迫装置であって、前記シートには、装置を手足に固定するために、シートの対向縁部にそれぞれが沿った複数の協働する第１及び第２の締結部分が設けられ、前記第１の締結部分には、複数の第１及び第２の関連する標示が設けられ、その複数の第１及び第２の関連する標示は、圧迫をもたらすために前記第１及び第２の締結部分に対する前記第１の標示によって示されるゼロの張力を加えることと、前記第２の標示によって示される所定の最適な大きさの張力を加えることとの間の、前記第２の締結部分に対する前記第１の締結部分の相対運動を視覚的に示す、圧迫装置を開示している。国際公開第０１／７２２５０号（Ｂｅｎｎｅｔら、ＮＥＯＰＲＥＳＳ）は、患者の下腿及び足の周囲に創口ドレッシングを支持するための弾性圧迫支持体であって、パネルと、そのパネルの２つの長縁部を互いに引き寄せるための線状の締結要素と、を備え、締結要素が、パネルの縁部に沿ってパネルと固定されるか又はパネルと一体化された、互いに整列された一対のテープ又はタブを含み、そのテープ又はタブは、前記テープ又はタブを互いに離れる方向に反対方向に引くことによってパネルが手足の周囲を圧迫して締着されるように配置され、パネルが、ふくらはぎの裏側及び足の下に位置する、長延伸性の微小穿孔ネオプレンで形成された中央部材と、パネルの２つの長縁を形成し、臑及び足の前面に沿って位置する、短延伸性の微小穿孔ネオプレンで形成された２個の側部部材とを含む３個の部材で形成される、弾性圧迫支持体を開示している。国際公開第９７／４６１８１号（Ｓｈａｗら、ＣＩＲＣＡＩＤ  ＭＥＤＩＣＡＬ  ＰＲＯＤＵＣＴＳは、中央巻回領域と一体に連結され、その中央領域の両側から互いに反対方向に外側に延びて身体部分を包囲する複数対の身体又は手足包囲バンドを含む治療用圧迫衣服を開示している。国際公開第２０１１／０６６２３７号（Ｌｉｐｓｈａｗら、ＣＩＲＣＡＩＤ  ＭＥＤＩＣＡＬ  ＰＲＯＤＵＣＴＳ）は、本体部分と、脊柱部分とを有し、脊柱部分が脊柱の湾曲に沿って本体部分に着脱可能に取り付けられることによって、脊柱部分が本体部分の異なる位置に配置可能であり、本体部分及び／前記脊柱部分からバンドが延び、これらのバンドが、本体部分及び脊柱部分が身体の手足に巻かれる際に本体部分と脊柱部分とを互いに更に固定する、治療用圧迫衣服を開示している。本体部分、及び脊柱の湾曲にわたって取り付けられる脊柱部分で形成される同様の衣類が商品名ＪＵＸＴＡ−ＣＵＲＥＳの商品名でＣＩＲＣＡＩＤより販売されており、この衣類は、本体部分及び脊柱部分の両方と一体に連結された４本の手足包囲バンド（フックアンドループ式ファスナーをそれぞれが有するものがそれぞれの側に２本ずつ）を有し、これらのバンドは衣類の２つの反対側に沿って互い違いの位置に配置され、衣類の両側から互いに反対方向に外側に延びて身体部分を包囲するようになっている。米国特許出願公開第２００５／０２０９５４５号（Ｆａｒｒｏｗら、Ｆ���ＲＲＯＷ  ＭＥＤＩＣＡＬ）は、複数の相互連結可能な圧縮性又は非圧縮性材料のバンドを含む、身体部分に圧力を加えるための装置であって、バンドを、背骨又は連結手段により、バンドそれぞれの縦方向に中心で重ね合わせるか又は連結することができる、装置を開示している。同様のシステムが、ＦＡＲＲＯＷＷＲＡＰの商品名でＦＡＲＲＯＷより販売されている。
【発明の概要】
【０００６】
上記に述べた他の圧迫システムは、１つには装着が容易であり得る一方で、これらのシステムは、例えば、所望の治療的圧迫圧が与えられない、かつ／又は例えばバンド又は他の開放空間の間に開放区域が生じる（圧迫中の領域内に望ましくない非圧迫範囲が生じ、ひいてはこうした範囲に液体が蓄積する可能性につながる）、かつ／又は皺がよる。
【０００７】
したがって、充分に効果的な圧迫療法を与えると同時に装着及び使用が簡単であり、理想的には、医療従事者にその都度、装着及び／又は交換してもらう必要が必ずしもない、圧迫システムが依然として求められるか又は望まれている。
【０００８】
本発明者らは、使用者の身体部分（例えば手足、胴体、首、頭）の一部分を実質的に覆うためのスリーブであって、そのスリーブに閉鎖システムが設けられることにより、使用時に、閉鎖システムの閉鎖に際して、スリーブが使用者の身体部分の周囲に拘束かつ締め付けられることによって圧迫を与え（例えばスリーブの側縁部を互いに引き寄せることにより）、圧迫を与えるように機能するスリーブの主材料が特定の選択された材料特性を有する、スリーブを提供することが特に有利であることを見出した。これ点において、具体的には、スリーブの横断方向及び長手方向に弾性を有し、例えば１Ｎ／ｃｍの力未満の領域における張力−伸長曲線の初期傾斜があまり急峻でないように、１０Ｎ／ｃｍ幅の荷重下でのスリーブの前記方向のうちの少なくとも１つに張力及び伸長特性と共に、１０Ｎ／ｃｍ幅の荷重下でのスリーブの前記横断方向における最大伸長率は５％〜３５％以下である材料を使用すること好ましいことが分かった。
【０００９】
更に、本発明者らは、延伸特性が極めて短い材料は好ましいことに、効果的な圧迫療法を促進する、例えば、伸張耐性が高い結果として、高いことが望ましい起立圧力（desirably high standing pressures）の提供を促進するが、そのような材料は、それらの伸張耐性が高い結果として、典型的には、表面適合性に関して問題があり、とりわけ、材料にギャップができ、及び／又はしわが寄り、したがって、圧迫の不均一につながることがあることを観測した。驚いたことに、本発明者らは、極めて低い張力（１Ｎ／ｃｍ未満）での伸長特性がここでは役割を果たし、張力−伸長曲線の初期傾斜が０．９Ｎ／（ｃｍ・％）以下であるように、少なくとも１つの方向に張力−伸長特性を有する極めて短い延伸材料を意図的に選択することによって、材料の伸張耐性が高くても、及び／又は高い静的（又は動的）剛性指標を提供しても、有利で好都合な表面適合性の提供を促進することができることが分かった。
【００１０】
したがって、本発明の１つの態様では、使用者の身体部分の一部分を実質的に覆うためのスリーブを備える、使用者の身体部分に圧迫を加えるための圧迫システムが提供され、スリーブは、２つの横方向側縁部を有し、第１の横方向側縁部から第２の横方向側縁部に向かう横断方向において、スリーブは、第１の横方向側領域、中央領域、及び第２の横方向側領域を備え、少なくともスリーブの中央領域は、スリーブの横断方向及び長手方向に弾性を有する材料（主材料）を含み、主材料は、スリーブの前記横断方向における１０Ｎ／ｃｍ幅の荷重下での最大伸長率が５％〜３５％以下であり、力／ｃｍ幅が０．１Ｎ／ｃｍ〜０．９Ｎ／ｃｍの範囲である領域における張力−伸長曲線の傾斜が０．９Ｎ／（ｃｍ・％）以下であるように、スリーブの方向のうちの１つ（第１のスリーブ方向）に張力及び伸長特性を有し、圧迫システムは、解放可能な閉鎖システムを更に備え、閉鎖システムは、使用時に、閉鎖システムの閉鎖に際して、スリーブが前記使用者の前記身体部分の周囲で拘束され、締め付けられるようにスリーブに対して構成及び配置される。
【００１１】
説明を分かりやすくするため、使用者の身体部分（例えば手足、胴体、首又は頭）への圧迫装置の適用後には、スリーブの横断方向は、周方向ともなる点が理解されるべきである。スリーブの一部として、又はスリーブと別個の構成要素として、あるいはその組み合わせとして、即ち、部分的にスリーブの一部として、解放可能な閉鎖システムを提供してもよいことを理解されたい。
【００１２】
ＡＳＴＭ  Ｄ４８４８−９８（２０１２）及びＢＳ  ＥＮ  １４７０４−１：２００５によれば、弾性とは、変形を引き起こす力が取り除かれた後、材料がすぐにその元のサイズ及び形状を回復する傾向がある材料の性質のことである。伸長率、回復伸長率、並びに張力−伸長特性は、例えば下記の実験の項で詳細に述べられるような、ＢＳ  ＥＮ  １４７０４−１：２００５規格「布地の弾性の測定、第１部：ストリップ試験：方法Ａ、編地」（”Ｄｅｔｅｒｍｉｎａｔｉｏｎ  ｏｆ  ｔｈｅ  ｅｌａｓｔｉｃｉｔｙ  ｏｆ  ｆａｂｒｉｃｓ，−  Ｐａｒｔ  １：Ｓｔｒｉｐ  ｔｅｓｔｓ”：Ｍｅｔｈｏｄ  Ａ，Ｋｎｉｔｔｅｄ  Ｆａｂｒｉｃｓ）に従って測定することができる。張力対伸長の傾斜の所与の範囲（０．９Ｎ／（ｃｍ・％）以下）は、定義不能の傾き、即ち、垂直線は包含しないが、典型的には、傾きは、０Ｎ／（ｃｍ・％）超であるものの、０Ｎ／（ｃｍ・％）に等しい傾き、即ち、水平線は包含することが理解されよう。更に、一般的には、少なくとも最小量の初期抵抗が仮定され、したがって、傾きは、０．０５Ｎ／（ｃｍ・％）以上であることが好ましい。
【００１３】
表面適合性を更に促進するために、望ましくは、主材料は、力／ｃｍ幅が０．１Ｎ／ｃｍ〜０．９Ｎ／ｃｍの範囲である領域における張力−伸長曲線の傾斜が、０．９Ｎ／（ｃｍ・％）以下であるように、前記第２のスリーブ方向に張力及び伸長特性を有する。
【００１４】
効果的な圧迫を促進するために、好ましくは、主材料の長手方向の最大伸長率は、１０Ｎ／ｃｍ幅の荷重下で５％〜７０％以下である。これに加えるか又はこれに代えて、好ましくは、１０Ｎ／ｃｍ幅の荷重下でのスリーブの横断方向及び長手方向における主材料の最大伸長率の合計は、１０％〜７５％以下の範囲内である。
【００１５】
主材料が、主材料の方向（例えば、機械方向又はクロスウェブ方向）が、スリーブの横断方向又は長手方向に配向され得る最大伸長率を示す場合、好ましくは、スリーブは、最も低い初期張力−伸長傾斜がスリーブの横断方向に沿って、又は本質的に沿って配向されるように構築される。理想的には、この材料方向はまた、材料の機械方向が最も低い初期張力−伸長傾斜を有する方向である時にしばしば当てはまる最も低い最大伸長率を示す。
【００１６】
スリーブの横断方向及び／又はスリーブの長手方向における主材料の回復伸長率は、好ましくは、９０％以上、具体的には９５％以上である。
【００１７】
着用快適性を促進するために、主材料の内側表面からその外側表面の、及び／又は外側表面から内側表面の空気透過率は、２００Ｐａの試験圧を使用した試験ＩＳＯ  ９２３７−１９９５に従って、少なくとも２０ｃｍ／秒、具体的には少なくとも６０ｃｍ／秒、より好ましくは少なくとも１００ｃｍ／秒である。これに加えるか又はこれに代えて、主材料の内側表面から外側表面までの水蒸気透過率は、ＩＳＯ１５１０６第１部に従って測定した場合に、好ましくは１０００ｇ／（ｍ２・２４ｈ）以上、より好ましくは１６００ｇ／（ｍ２・２４ｈ）以上、更により好ましくは２２００ｇ／（ｍ２・２４ｈ）以上、最も好ましくは２８００ｇ／（ｍ２・２４ｈ）以上である。
【００１８】
圧迫システムは、好ましくは、中央領域の面積がスリーブの全面積の少なくとも４０％（具体的には少なくとも４５％、より具体的には少なくとも５０％）であるように構成及び配置される。これに加えるか又はこれに代えて、圧迫システムは、好ましくは、スリーブの高さの２／３に相当する高さにおいて、スリーブの中央領域が、スリーブの横断方向にスリーブを横切って４０％以上延びるように構成及び配置され得る。「２／３高位置」に相当する前記高さは、着用者の導体に向かい合うことが理解されよう。例えば、下縁部及び上縁部を含み、上縁部が使用時に着用者の胴体に向いて位置決めされるスリーブの場合、前記高さは、下縁部から上縁部までのスリーブの高さの２／３に相当することになる。
【００１９】
好ましくは、スリーブの中央領域の全面積の少なくとも８５％（具体的には少なくとも９０％、より具体的には少なくとも９５％）が、前記主材料で作製されている。
【００２０】
圧迫システム、具体的にはそのスリーブは、使用時に形態を拡張する及び／又は変えるので、上記割合の面積及び幅は、使用していない時の装置の面積及び幅にそれぞれ関連することを理解されたい。更に、スリーブ、具体的にはその中央領域は、主材料の対応する特性を有する単一の材料、又は、例えば、スリーブの横断方向及び／又は長手方向に沿って連続して提供された、主材料の対応する特性をそれぞれ有する１つ以上の材料、あるいは、主材料の対応する特性を有する複合材料の形態の１つ以上の材料（例えば、積層体）を含む、又は該材料で作製することができることを理解されたい。
【００２１】
上記のように、本明細書に記載した圧迫システム、具体的にはそのスリーブは、例えば、浮腫の治療及び／又は管理特に使用するために使用者が組み合わせて、手足の一部分、胴体の一部分、首の一部分、頭部の一部分、又は首と頭部との一部分を覆うのに好適である。
【００２２】
従属請求の範囲は、本発明の更なる実施形態を定義する。
【００２３】
本発明は、本明細書に述べられる本発明の、特定の、好適な、望ましい、好適な、有利な、かつ好ましい態様のすべての組み合わせを網羅していることを理解されたい。
【図面の簡単な説明】
【００２４】
以下に、本発明について、添付図面に即して記載する。
【００２５】
【図１】本明細書に記載された発明による、圧迫システムの例示的な実施形態の平面図である。
【図２】図１に示した例示的な実施形態の一部（即ち、２次閉鎖要素）の断面図である。
【図３】図１に示した例示的な実施形態実施形態の斜視正面図であり、スリーブ及び２次閉鎖要素が、フラップ及び締結バンドにより取り付けられており、スリーブが、圧迫を加えるために手足の周囲に締め付けられる、使用者の手足（手足は図示されていない）に関する実施形態に対応する構成を示している。
【図４】図３に示した構成の例示的な実施形態の部分断面図を示す。
【図５】本明細書に記載された発明による、圧迫システムの別の例示的な実施形態の平面図である。
【図６】図５に示した例示的な実施形態の一部（即ち、スリーブ）の断面図である。
【図７】本明細書に記載された発明による、圧迫システムの追加の例示的な実施形態の平面図である。
【図８】図７に示した例示的な実施形態の一部（即ち、スリーブ）の断面図である。
【図９】本明細書に記載された発明による、圧迫システムの更なる例示的な実施形態の平面図である。
【図１０】図９に示した例示的な実施形態の断面図である。
【図１１】本明細書に記載された発明による、表面適合性について評価される例示的な試験試料の正面図である。
【図１２】図１１に示した例示的な試験構成の断面図である。
【図１３Ａ】機械方向（ＭＤ）及びクロスウェブ方向（ＣＷ）に関する、一連の材料サンプルの測定された張力対伸長曲線を表す。
【図１３Ｂ】機械方向（ＭＤ）及びクロスウェブ方向（ＣＷ）に関する、一連の材料サンプルの測定された張力対伸長曲線を表す。
【図１３Ｃ】機械方向（ＭＤ）及びクロスウェブ方向（ＣＷ）に関する、一連の材料サンプルの測定された張力対伸長曲線を表す。
【図１３Ｄ】機械方向（ＭＤ）及びクロスウェブ方向（ＣＷ）に関する、一連の材料サンプルの測定された張力対伸長曲線を表す。
【図１３Ｅ】機械方向（ＭＤ）及びクロスウェブ方向（ＣＷ）に関する、一連の材料サンプルの測定された張力対伸長曲線を表す。
【図１３Ｆ】機械方向（ＭＤ）及びクロスウェブ方向（ＣＷ）に関する、一連の材料サンプルの測定された張力対伸長曲線を表す。
【図１３Ｇ】機械方向（ＭＤ）及びクロスウェブ方向（ＣＷ）に関する、一連の材料サンプルの測定された張力対伸長曲線を表す。
【図１３Ｈ】機械方向（ＭＤ）及びクロスウェブ方向（ＣＷ）に関する、一連の材料サンプルの測定された張力対伸長曲線を表す。
【００２６】
以下の説明文では、そうでない旨が明確に断わられないかぎり、「上」、「下」、「上方」、「下方」といった用語は、図面に示された要素についてのみ言うものであり、使用の向きに関して一切限定するものではない。すべての図面が同じ縮尺ではない。
【発明を実施するための形態】
【００２７】
本発明は、本明細書に述べられる本発明の、特定の、好適な、望ましい、好適な、有利な、かつ好ましい態様のすべての組み合わせを網羅していることを理解されたい。
【００２８】
図１は、使用者の手足の部分を実質的に覆うためのスリーブ（１）と、２次閉鎖要素（５）とを備える、圧迫システム（１００）の例示的な一実施形態の外側の平面図を示し、図２は、２次閉鎖要素の断面図を示している。図１から理解されるように、スリーブは、一般に、外側表面（３）、内側表面（４；図１では番号が付されていない）、上縁部（７）及び下縁部（８）を含む。装置が手足に使用される際、典型的に、内側表面（４）が着用者／使用者に向かって配置され（以下において、「内側」という用語は、一般的には、着用者／使用者に向かって配置されたものを指し、「外側」は、着用者／使用者から離れて配置されたものを指す）、上縁部は、使用者の胴体に向かって配置され、下縁部は、使用者の胴体から離れて配置され、上縁部及び下縁部の両方は、本質的に横断方向であり、適用後には、手足の周囲に本質的に周方向に配置されることになる。上述のように、使用者の身体部分（例えば手足）への圧迫装置の適用後には、スリーブの横断方向は、本質的に周方向ともなる。図１において、シンボルＴ←→Ｔは、スリーブの横断方向を示し、Ｌ←→Ｌは、スリーブの長手方向を示す。図１から理解されるように、スリーブは、２つの横方向側縁部（９、１０）を含む。第１の横方向側縁部（９）から第２の横方向側縁部（１０）に向かう横断方向において、スリーブは、第１の横方向側領域（１３）、中央領域（１４）、及び第２の横方向側領域（１５）を備える。図１の例示的な実施形態に示されるように、中央領域及び第２の横方向側領域は、構造的に同じであってよい。代替的な実施形態では、例えば、図５に示される例示的な圧迫システム（１００）に見られるように、中央領域及び第２の横方向側領域は、構造的に異なっていてもよく、スリーブ（１）の第２の横方向側領域（１５）の外側表面（３）には、２次閉鎖要素（５）上に提供された外側フラップ（５１）上に提供される機械的締結要素（６１）に係合することができる構造を有する、追加の材料層（例えば、ループ係合材料）（２８）が提供、具体的には、積層されている。図５のスリーブの断面図を提供する図６も参照されたい。他の代替的な実施形態では、スリーブの外側表面全体に、機械的締結要素に係合することができる構造を有する材料（例えば、ループ係合材料）を提供（例えば、積層）してもよい。図１に示される例示的な実施形態に戻ると、中央領域及び第２の横方向側領域は、構造的に同じであるため、２つの領域間に識別可能な境界はないということが理解されよう。２つの領域の連続領域、すなわち、接合領域に関し、以下では、第２の横方向側領域（１５）は、第２の横方向側縁部（１０）に隣接した接合領域の半分として概ね理解され、中央領域は、第１の横方向側領域に隣接した接合領域の半分として概ね理解される。第２の横方向側領域（１５）が、締結バンド又はリングのような構造的要素を有さず、したがってトリミングすることができるように構成及び配置されているのに対して、スリーブの第１の横方向側領域（１３）には複数の締結バンド（２）がスリーブの上縁部と下縁部との間にスリーブの実質的に長手方向に沿って連続して提供されており、バンドはこの例示的な実施形態では、スリーブの第１の横方向側領域の外側表面に固定的に取り付けられている（例えば、縫い付けられている）。
【００２９】
スリーブは、例えば図１に示されるように平らに広げて置かれた場合、実質的に長方形、又は実質的に台形若しくは不規則な形状を有し得る。例えば、本明細書に示される（例えば図１に）例示的な実施形態のスリーブは、実質的に台形の形状を有している。使用者の手足の部分への最適なフィットを容易にするため、スリーブの上縁部及び／又は下縁部は好ましくわずかに湾曲していてよく、具体的には、上縁部はわずかに凸状であり、通常は使用者の胴体から離れて位置付けられる下縁部はわずかに凹状又は凸状であってよい。これに代えるか又はこれに加えて、横方向側縁部の一方又は両方がわずかに湾曲していてもよく、具体的にはわずかに凸状とすることができる。これにより、発達したふくらはぎへのフィッティングが容易となり得る。使用時には、圧迫装置が使用者の手足に適用される際、スリーブは実質的に円筒状、筒状、又は切頭円錐状の形状を有する。使用後、使用者の手足から圧迫システムを外した後、スリーブを広げておいた場合に完全に平坦にはならない場合がある点に留意されたい。
【００３０】
スリーブ、特に、その第１及び／又は第２の横方向側領域には、長さ方向に延在する１つ以上の補強材を配設することにより、スリーブの形状の維持を容易にし、かつ／又は局所圧力分布を向上させることができ、具体的には、スリーブが垂直方向に潰れるか又は滑り落ちようとする傾向を最小化することができる。補強材は例えば、スリーブの横断方向に対して限定された幅を有するワイヤ、棒状要素、格子、又はパッドの形で配設することができる。例えばスリーブの上縁部と下縁部との間に長さ方向に延在する細長い補強材を、第１の横方向側領域に、具体的には第１の横方向縁部に隣接して提供することができる。補強材は、例えば金属又は熱成形可能な熱可塑性材料（例えばポリプロピレン、ポリアミド、ポリエステル（例えば３Ｍ  ＳＣＯＴＣＨＣＡＳＴ（商標）熱可塑性材料７２３６２））を含む熱可塑性材料で形成することができる。５ｍｍよりも大きい幅を有する補強材では、通気性を与えるために補強材に穿孔部を提供することが好ましい場合もある。設計及び／又は固定の目的で、補強材を布地のポケット内に配設し、次いでこれをスリーブの適切な部分（複数を含む）に取り付けるか、又は代わりに、補強材をスリーブの適切な部分（複数を含む）の表面に位置付け、次いでこれを、スリーブのそれぞれの部分（複数を含む）に縫い付けられるか又は積層される布地のシートによって完全に覆うことができる。
【００３１】
トリミング可能な第２の横方向側領域を提供することにより、良好かつ個別化された解剖学的フィット性の提供を容易にし、これにより、その特定の使用者にとって必要とされる、かつ／又は所望される圧迫の提供を容易にする。
【００３２】
本明細書に記載する圧迫システム、具体的には、そのスリーブは、身体部分のサイズの差（例えば、手足と胴体又は首又は頭部あるいは、例えば手足のみに関して、腕と脚）、並びに、特定の身体部分のサイズの全般的な差に適合するように、異なるサイズで提供することができる。首及び頭部に使用するのに好適な圧迫システムはしばしば、両方に使用され、即ち、使用者の首及び頭部の両方の一部分を覆うように構成される。かかる装置は、例えば、首、顎を覆い、顔は覆わずに頭部に被せられるフードのように構成され得るが、その場合、頭頂部及び後頭部に沿うか、正面から顎及び首の前面に沿って、解放可能な閉鎖システムが提供され得る。
【００３３】
本明細書に記載する圧迫システムは、特に、手足に圧迫を加えるのに有用である。望ましく、スリーブは、スリーブが手足の少なくとも１つの主要筋の上に延在するように、手足を覆うように構成及び配置される。例えば、脚（例えば、下腿及び／又は上腿）に使用されるように設計された圧迫システムでは、前記少なくとも主要筋は、以下のもの、即ち、前脛骨筋、ヒラメ筋、腓腹筋、大腿二頭筋、大腿直筋、内側広筋、中間広筋、外側広筋から適切に選択され得、腕（例えば、下腕及び／又は上腕）に使用されるように設計された圧迫装置では、前記前記少なくとも主要筋は、以下のもの、即ち、橈側手根屈筋、尺側手根屈筋、長掌筋、腕橈骨筋、上腕二頭筋、上腕三頭筋、上腕筋から適切に選択され得る。通常、主要筋の組み合わせを覆う。
【００３４】
本明細書に述べられる圧迫システムのスリーブは、手足のサイズの差（例えば、脚に対する腕）、及び特定の手足のサイズの一般的な差に対応するように異なるサイズで提供することができる。本明細書に述べられる圧迫システムは、ふくらはぎを含む下腿に使用するのに特に適している。これに関し、成人の下腿の長さが約２０ｃｍ〜５０ｃｍの範囲であり得ることを考慮すると、潜在的使用者の潜在的な関連する長さの８０％を覆うことをやはり目的として、例えば低、平均、高の３つの高さサイズを提供することが可能である。更に、かつより重要な点として、リンパ浮腫に離間するそれらの人物を含む成人下腿のサイズが、足首の外周で約１３０〜４２０ｍｍ、その最も幅広の点の外周で２８０〜６５０ｍｍの範囲であり得る点を考慮すると、潜在的使用者の潜在的な関連する外周サイズの８０％を覆うことを目的として、例えばＸＳ、Ｓ、Ｍ、Ｌ、ＸＬ、ＸＸＬ、ＸＸＸＬの７つの標準的な幅サイズで圧迫システムを提供することが可能であり、残りの２０％については特別注文によって提供することができる。スリーブの第２の横方向側領域がトリミング可能であるように構成されている本明細書に述べられる圧迫システムの適用は、潜在的使用者の潜在的な関連する外周サイズの８０％を覆うための標準サイズの数を減らすことが可能であるという点でも有利である。例えば、７つのサイズを提供する代わりに、上述したＭ、ＸＬ及びＸＸＸＬのサイズに対応する３つのサイズを提供してもよく、その場合、次いで、ユーザの手足に圧迫システムを適用する使用者又は介護者が、スリーブの幅をより小さいサイズに、例えばＸＬからＬに簡単に調整し得る。加えて、上述したように、手足の周長を著しく低減するように（低減しなければならないので）圧迫療法が効果的である場合には、使用者又は介護者が、スリーブの幅を更に小さいサイズに、例えばＬからＭに簡単に更に再調整することができる。図１に示した図示の例示的な実施形態では、締結バンドは、第１の横方向側領域に固定的に取り付けられている。特別な順序で通常は提供する必要がある上述の「残りの２０％」を特に考慮したサイズ決定に関する更なる自由度又は可撓度を促進するために、代替的な実施形態では、締結バンドは、スリーブの第１の横方向側領域に解放可能に取り付け可能とすることができ、その場合、次いで、スリーブの第１の横方向側領域もまた、トリミング可能となるように構成及び配置することができる。かかる実施形態では、本明細書に述べられる圧迫システムは、例えばロールの形のスリーブ材料を、適切な一連の締結バンドと２次閉鎖要素とを含む１以上のセットと共に含むシステムとして好ましく提供することも想到される。
【００３５】
使用者の下腿に使用するのに好適な圧迫システムでは、スリーブは、使用時にスリーブの中央領域が少なくとも背面の周囲に、したがって腓腹筋に隣接して通常は位置付けられるように構成及び配置されることが好ましい。
【００３６】
図１に示した実施形態に戻ると、スリーブの３つの領域（１３、１４及び１５）は同じ材料（３０）を含むことに留意されたい。この材料は、主材料である。更に、第１の横方向側領域（１３）での締結タブ（２）の取り付けに起因して、通常は、この領域における下にある主材料（３０）の特性に影響がもたらされることを理解されたい。更に、第１の横方向側領域の１０Ｎ／ｃｍの荷重下での横断方向における最大伸長率は、通常、スリーブの中央領域の１０Ｎ／ｃｍの荷重下での横断方向における最大伸長率よりも低くなる（ほとんどの場合には著しく低くなり、場合によっては０％伸長率に達する）。最終的には、スリーブの中央領域では、この領域にはそのような取り付けがなく、主材料の特性影響を受けないままであることが理解されよう。
【００３７】
上記のように、少なくともスリーブの中央領域は、スリーブの横断方向及び長手方向に弾性を有し、１０Ｎ／ｃｍ幅の荷重下でのスリーブの前記横断方向における最大伸長率は５％〜３５％以下であり、力／ｃｍ幅が０．１Ｎ／ｃｍ〜０．９Ｎ／ｃｍの範囲である領域における張力−伸長曲線の傾斜が０．９Ｎ／（ｃｍ・％）以下であるように、スリーブの前記方向のうちの１つ（第１のスリーブ方向）に張力及び伸長特性を有する材料（即ち、主材料）を含む。望ましくは、主材料は、力／ｃｍ幅が０．１Ｎ／ｃｍ〜０．９Ｎ／ｃｍの範囲である領域における張力−伸長曲線の傾斜が、０．９Ｎ／（ｃｍ・％）以下であるように、前記第２のスリーブ方向に張力及び伸長特性を有する。
【００３８】
好ましくは、主材料は、張力対伸長曲線の前記傾斜が０．７５Ｎ／（ｃｍ・％）以下、より好ましくは０．５０Ｎ／（ｃｍ・％）以下、最も好ましくは０．３Ｎ／（ｃｍ・％）であるように、前記第１のスリーブ方向に張力及び伸長特性を有する。これに加えるか又はこれに代えて、好ましくは、主材料は、張力対伸長曲線の前記傾斜が０．７５Ｎ／（ｃｍ・％）以下、より好ましくは０．５０Ｎ／（ｃｍ・％）以下、最も好ましくは０．３Ｎ／（ｃｍ・％）であるように、前記第２のスリーブ方向に張力及び伸長特性を有する。
【００３９】
好ましくは、主材料の前記横断方向の最大伸長率は、１０Ｎ／ｃｍ幅の荷重下で３３％以下、より好ましくは１０Ｎ／ｃｍ幅の荷重下で３０％以下である。好ましくは、主材料の前記横断方向の最大伸長率は、１０Ｎ／ｃｍ幅の荷重下で６％以上、より好ましくは、１０Ｎ／ｃｍ幅の荷重下で７％以上である。
【００４０】
好ましくは、主材料の長手方向の最大伸長率は、１０Ｎ／ｃｍ幅の荷重下で５％〜７０％以下である。より好ましくは、かかる材料の長手方向の最大伸長率は、１０Ｎ／ｃｍ幅の荷重下で５５％以下、より好ましくは４５％以下である。加えて、又は代替的に、かかる材料の長手方向の最大伸長率は、より好ましくは、１０Ｎ／ｃｍ幅の荷重下で７％以上、具体的には１２％以上である。
【００４１】
好ましくは、１０Ｎ／ｃｍ幅の荷重下でのスリーブの横断方向及び長手方向における主材料の最大伸長率の合計は、１０％〜７５％以下の範囲内である。より好ましくは、１０Ｎ／ｃｍ幅の荷重下でのスリーブの横断方向及び長手方向における主材料の最大伸長率の合計は、７０％以下であり、最も好ましくは６５％以下である。これに加えるか又はこれに代えて、１０Ｎ／ｃｍ幅の荷重下でのスリーブの横断方向及び長手方向における主材料の最大伸長率の合計は、より好ましくは１４％以上であり、最も好ましくは１９％以上である。
【００４２】
スリーブの横断方向及び／又はスリーブの長手方向における主材料の回復伸長率は、好ましくは、９０％以上、具体的には９５％以上である。
【００４３】
主材料は、スリーブの身体部分（例えば、手足、胴体、首又は頭部）の関連する部分への適用並びに大まかなフィッティングを容易にするために比較的柔軟であることが望ましい。好ましくは、主材料は、２０ｃｍ以下、具体的には１５ｃｍ以下、より具体的には１０ｃｍ以下、最も具体的には５．０ｃｍ以下の横断方向及び／又は長手方向の曲げ長さを示す。加えて、又は代替的に、好ましくは、主材料は、１５０ｍＮ・ｃｍ以下、具体的には１２５ｍＮ・ｃｍ以下、より具体的には７５ｍＮ・ｃｍ以下、最も具体的には３５ｍＮ・ｃｍ以下における横断方向及び／又は長手方向の曲げ剛性を示す。布地の曲げ長さ及び曲げ剛性は、ＩＳＯ  ９０７３−７第１版１９９５−１２−１５「織物−不織布の試験方法、第７部：曲げ長さの測定（Ｔｅｘｔｉｌｅｓ−Ｔｅｓｔ  ｍｅｔｈｏｄｓ  ｆｏｒ  ｎｏｎｗｏｖｅｎｓ  Ｐａｒｔ  ７：Ｄｅｔｅｒｍｉｎａｔｉｏｎ  ｏｆ  ｂｅｎｄｉｎｇ  ｌｅｎｇｔｈ）」、又はＡＳＴＭ  Ｄ１３８８−０８「Ｓｔａｎｄａｒｄ  Ｔｅｓｔ  Ｍｅｔｈｏｄ  ｆｏｒ  Ｓｔｉｆｆｎｅｓｓ  ｏｆ  Ｆａｂｒｉｃｓ」に従って、例えば、Ｍ００３Ｂ  Ｓｈｉｒｌｅｙ剛性試験装を使用し、試料（特定の方向に関して１インチｘ８インチ（即ち、２５．４ｍｍｘ２０３．２ｍｍ）に測定されるようにそれぞれ切断される）を２４時間予備調整し、２１℃及び６５％ＲＨで試験して判定することができる。
【００４４】
着用快適性を促進するために、主材料の内側表面からその外側表面の、及び／又は外側表面から内側表面の空気透過率は、２００Ｐａの試験圧を使用した試験ＩＳＯ  ９２３７−１９９５に従って、少なくとも２０ｃｍ／秒、具体的には少なくとも６０ｃｍ／秒、より好ましくは少なくとも１００ｃｍ／秒である。これに加えるか又はこれに代えて、主材料の内側表面から外側表面までの水蒸気透過率は、ＩＳＯ  １５１０６第１部に従って測定した場合に、好ましくは１０００ｇ／（ｍ２・２４ｈ）以上、より好ましくは１６００ｇ／（ｍ２・２４ｈ）以上、更により好ましくは２２００ｇ／（ｍ２・２４ｈ）以上、最も好ましくは２８００ｇ／（ｍ２・２４ｈ）以上である。
【００４５】
主材料は、好ましくは、例えば、主表面の一方又は両方に繊維性布地（例えば、織布、編布、不織布又はフェルトのテキスタイル若しくは布）が提供された積層体の形態の発泡材を含んでもよい。以下により詳細に論じる圧迫システムの解放可能な閉鎖システムでフック型ファスナーが採用される特定の実施形態では、布地は、好ましくは、フック係合表面を有し得る。
【００４６】
好ましくは、主材料は、繊維性布地、具体的には織布又は編布、より具体的にはスペーサー編布を含む。スペーサー編布は、スペーサー糸（中間結合層としての）により１つに接合された２つの編まれた基材（例えば上層及び下層）を有する３次元的編布である。全体的の頑丈さを促進するために、かかる布地、具体的にはスペーサー編布の坪量は、好ましくは１００ｇ／ｍ２以上、より好ましくは１５０ｇ／ｍ２以上であり、更に好ましくは２００ｇ／ｍ２以上、最も好ましくは２５０ｇ／ｍ２以上である。これに加えるか又はこれに代えて、緩衝効果を可能にする及び／又は促進するために、かかる布地、具体的にはスペーサー編布の厚さは、望ましくは０．５ｍｍ以上、より望ましくは１．０ｍｍ以上、更に望ましくは１．４ｍｍ以上、最も望ましくは１．８ｍｍ以上である。これに加えるか又はこれに代えて、通気性及び／又は透過性を全体的に促進するために、かかる布地、具体的にはスペーサー編布の厚さは、望ましくは６．０ｍｍ以下、より望ましくは５．２ｍｍ以下、更に望ましく４．４ｍｍ以下、最も望ましく４．０ｍｍ望ましく以下である。経編されたスペーサー布地が、特に好適であることが分かった。経編されたスペーサー布地は、通常、２個のニードルバーを有するリブラッシェル編機で編まれる。好適な経編されたスペーサー布地の例は、Ａｋｋｏｔｅｘ（イタリア、ヴィチェンツァ、Ｖｉａ  ｄｅｌｌ’Ｉｍｐｒｅｓａ，２０；３６０４０  Ｂｒｅｎｄｏｌａ）によりＲｅｔｅ  Ｂｉｇ  Ｈｏｌｅ，Ｎｅｒｏという商品名で販売されるスペーサー布地が挙げられる。かかる布地、具体的にはスペーサー編布は、積層体であるかのように使用されても、代替的には積層体の形態で使用されてもよく、その場合、主表面の一方又は両方は、第２の（又は場合に応じて第３の）繊維性布地（例えば、織布、編布、不織布、又はフェルトのテキスタイル若しくは布）を備える。同じく圧迫システムの解放可能な閉鎖システムでフック型ファスナーが採用される特定の実施形態では、第２の（又は第３の）布地は、好ましくは、フック係合表面を有し得る。フック係合表面を提供する布地の例として、例えばＧｅｈｒｉｎｇ  Ｔｅｘｔｉｌｅｓ  Ｉｎｃ．（米国、ニューヨーク州ガーデンシティー、１１５３０）より製品番号ＷＷ９８３及びＷＷ１３０６で販売されるような、いわゆる切れ目のないループ（ＵＢＬ：ｕｎｂｒｏｋｅｎ  ｌｏｏｐ）材料が挙げられる。好適な積層体の例として、例えば上述のＷＷ９８３ ＵＢＬ材料の２層積層体、Ｇｅｈｒｉｎｇ  Ｔｅｘｔｉｌｅｓ  Ｉｎｃ．（米国、ニューヨーク州ガーデンシティー、１１５３０）より商品名ＳＨＲ  ７００／３  Ｄ３  Ｄ／０  ７２０８８１０で販売される経編されたスペーサー布地、及びＭｕｌｌｅｒ  Ｔｅｘｔｉｌ（ドイツ、５１６７４  Ｗｉｅｈ）により商品名３  Ｍｅｓｈ  ７８０８で販売される経編されたスペーサー布地が挙げられる。
【００４７】
主材料の坪量は、好ましくは１００ｇ／ｍ２以上、より好ましくは１５０ｇ／ｍ２以上であり、更に好ましくは２００ｇ／ｍ２以上、最も好ましくは２５０ｇ／ｍ２以上である。加えて、又は代替的に、主材料の坪量は、好ましくは５５０ｇ／ｍ２以下である。
【００４８】
主材料の厚さは、好ましくは０．５ｍｍ以上、より望ましくは１．０ｍｍ以上、更に望ましくは１．４ｍｍ以上、最も望ましくは１．８ｍｍ以上である。これに加えるか又はこれに代えて、かかる布地、具体的にはスペーサー編布の厚さは、望ましくは６．０ｍｍ以下、より望ましくは５．２ｍｍ以下、更に望ましくは４．４ｍｍ以下である。
【００４９】
皮膚上の圧痕及び／又は皮層刺激の生成を最小限にする又は回避するために、いかなるストッキングも、好ましくは布地、具体的にはスペーサー編布もなく圧迫システムを着用する場合、皮膚に面する布地の面に大きい開口パターンを有さず、望ましくは、少なくとも１つの方向（例えば、機械方向又は横方向）では、開口（複数を含む）の幅は３ｍｍ以下である。他の方向（例えば、それぞれ横方向又は機械方向）では、幅は、３ｍｍ以下、あるいは代替的には３ｍｍ超である。
【００５０】
圧迫装置は、好ましくは、（装置が使用中でない時に）中央領域の面積がスリーブの全面積の少なくとも４０％（具体的には少なくとも４５％、より具体的には少なくとも５０％）であるように構成及び配置される。これに加えるか又はこれに代えて、圧迫装置は、好ましくは、（装置が使用中でない時に）例えば下縁部から上縁部までのスリーブの高さの２／３に相当する高さにおいて、スリーブの中央領域が、該当する場合には、スリーブの横断方向にスリーブを横切って４０％以上延在するように構成及び配置することができる。
【００５１】
好ましくは、スリーブの中央領域の全面積の少なくとも８５％（具体的には少なくとも９０％、より具体的には少なくとも９５％）が、（装置が使用中でない時に）前記主材料で作製されている。
【００５２】
第１及び／又は第２の横方向側領域が、中央領域と同じ材料を含み、前記材料が主材料の対応する特性を有する場合、解放可能な閉鎖システムのそれぞれの部材が提供されること、一般的には、任意の舌及び／又は補強材が取り付けられることに起因して、それぞれの領域は、主材料の対応する特性を有さなくなることがあり、一般的に、の１０Ｎ／ｃｍの荷重下での横断方向における最大伸長率は、スリーブの中央領域の１０Ｎ／ｃｍの荷重下での横断方向における最大伸長率よりも低くなる（多くの場合、大幅に低く、伸長率０％に近づき、場合により０％に達する）。第１及び第２の横方向側領域が主材料を含まないが、１つ又は複数の別の材料を含む場合、第１及び／又は第２の横方向側領域に提供された解放可能な閉鎖システムの要素及び／又は他の要素を含む装置全体に関しても、第１及び第２の横方向側領域は、中央領域よりも横断方向での延伸性が乏しいことが望ましい。更に、第１の横方向側領域及び第２の横方向側領域の１０Ｎ／ｃｍの荷重下での横断方向における最大伸長率は、スリーブの中央領域の１０Ｎ／ｃｍの荷重下での横断方向における最大伸長率以下を示すことが望ましい。これに加えるか又はこれに代えて、第１の横方向側領域及び第２の横方向側領域の１０Ｎ／ｃｍの荷重下での長手方向における最大伸長率が、スリーブの中央領域の１０Ｎ／ｃｍの荷重下での長手方向における最大伸長率以下を示してもよい。
【００５３】
本明細書に記載する圧迫システムは、解放可能な閉鎖システムを更に備える。閉鎖システムは、使用時に、閉鎖システムの閉鎖に際して、スリーブが使用者の身体部分（例えば、手足、胴体、首又は頭部）の周囲に拘束され、締め付けられるように構成され、スリーブに対して配置される。スリーブ及び閉鎖システムは、使用時に、閉鎖システムの閉鎖に際して、スリーブの２つの横方向縁部同士が互いに引き寄せられるが重なり合わないように構成及び配置されることが望ましい。
【００５４】
解放可能な閉鎖システムはジッパーを含んでもよく、例えば、スリーブの第１の横方向縁部に前記ジッパーの半分を（解放可能に、あるいは固定的に）提供することができ、第２の横方向縁部に前記ジッパーの相補的な半分を（解放可能に、あるいは固定的に）提供する。本明細書で使用する用語「ジッパー」は、スライダーの使用により互いに相互係止し又は互いから係合解除して、閉じた又は開いたジッパーチェーンをそれぞれ形成することができる相互係止プロファイル（例えばオス及び／又はメス）を含む歯又は他の要素がそれぞれに提供された、２つのジッパーテープの半分からなる機械的閉鎖装置を含む。無歯ジッパーの一例として、二重溝が形成された２本のポリマー軌道を相互係止するスライダーを含むＧＯＲＥによりＬＯＣＫＯＵＴの商品名で販売される閉鎖システムが挙げられる。
【００５５】
解放可能な閉鎖システムは、望ましくは、スリーブの長手方向に沿って個別の締め付けを可能とする。かかるシステムの例としては、スリーブの２つの横方向側領域の外側表面に提供された複数の対向したひもガイドと、対向したガイド間を往復して延在するひもとを備える閉鎖システムを挙げることができる。かかる閉鎖システムは、ひもに張力を作用させ、それにより、対向したガイド同士を互いに近づけるように構成された少なくとも１つの回転可能な締め付け機構を更に有し得る。具体的には、少なくとも１つの回転可能な締め付け機構を、少なくとも１つのガイドと一体に形成してもよい。一般的に、かかるリール式レーシングシステムでは、ひもには自由端がない。
【００５６】
かかる解放可能な閉鎖システムの他の例として、機械的締結閉鎖システムが挙げられる。
【００５７】
例えば、第１の横方向側領域又は第２の横方向側領域、あるいは両方の領域に、スリーブの長手方向に沿って連続して、複数の締結バンドを備えてもよい。締結バンドは、締結バンドが、それぞれの横方向側縁部からスリーブの実質的に横断方向に延在するように、スリーブのそれぞれの横方向側領域と一体的であり得る。あるいは、締結バンドが近位端部分を備えてもよく、前記近位端部分は、バンドがそれぞれの横方向側縁部の上をスリーブの実質的に横断方向に延在するように、スリーブのそれぞれの横方向側領域に解放可能に又は固定的に取り付けられている。それぞれの締結バンドは、内側に向いた第１の主表面と、外側に向いた第２の主表面を有することが理解されよう。
【００５８】
締結バンドは、一般に、遠位端部分を含む。締結バンドのそれぞれは、好ましくは、その遠位端部分がスリーブの中央部分から離れて位置付けられた状態で、スリーブの実質的に横断方向に延在する。少なくとも締結バンドの遠位端部分のスリーブの横断方向に対する高さは、好ましくは少なくとも１ｃｍ、より好ましくは少なくとも２ｃｍ、最も好ましくは少なくとも３ｃｍである。少なくとも締結バンドの遠位端部分のスリーブの横断方向に対する高さは、好ましくは最大１０ｃｍ、より好ましくは最大８ｃｍ、最も好ましくは最大６ｃｍである。
【００５９】
締結バンドのそれぞれの遠位端部分は、有利には、（以下では、第１のバンド締結要素と称する）機械的締結要素、具体的にはオス締結要素、より具体的には、フックファスナー、マッシュルーム形ファスナー、ステム形ファスナー、カップ形ファスナー、Ｔ字形ファスナー、ピン形ファスナー、及びこれらの混合物からなる群から選択されるオス締結要素を有し得る。
【００６０】
１つの好適な配置では、機械的締結要素は、第１の主表面上の締結バンドの遠位端部分に提供され、前記締結バンドは、第１及び／又は第２の横方向側領域上に提供される。次いで、対向する第２及び／又は第１の横方向縁部領域は、好ましくは、相補的な係合構造を備える。例えば、領域（複数を含む）、具体的にはその（それら）外側表面は、前記締結要素により係合されるように適合された構造を有するか又は構造が（解放可能に、あるいは固定的に）が提供されていてもよい。
【００６１】
機械的締結閉鎖システムを備え、好ましくはスリーブの長手方向に沿った個別の締め付けを可能にする解放可能な閉鎖システムの別の例として、リングと連動する締結バンドを含むシステムが挙げられる。リングは、金属又はポリマー材料で作成してもよく、あるいは、（例えばアイレットの形態で）ウェブ材料に作成又は提供してもよく、それらは、長方形又は実質的に長方形の形状、又は卵形若しくは実質的に卵形の形状（例えば、細い又は細長い卵形、カヌー形、細長い涙滴形）、又は細長い若しくは細いＤ字形としてもよいことが理解されよう。そのような好適な配置では、機械的締結要素を、第１の主表面上の、第１及び／又は第２の横方向側領域上に提供された締結バンドの遠位端部分に提供してもよい。かかる実施形態の場合、次いで、対向する第２及び／又は第１の横方向縁部領域に、（解放可能に、あるいは固定的に）リングの列を提供するのが好ましく、したがって、リング締結バンドに反対側に配置される。具体的には、締結バンド及びリングは、使用時にバンドをリングに通してからそれ自体の上に折り返すことにより、スリーブの対応する横方向側縁部（複数を含む）が対向する横方向側領域（複数を含む）のリングに向かって引き寄せられることで、スリーブが使用者の身体部分（手足、胴体、首又は頭部）の周囲に締め付けられるように構成及び配置されており、次いで締結バンドを締めるとスリーブが使用者の身体部分の周囲に拘束され、より具体的には一方の横方向縁部がスリーブの他方の横方向縁部に向かって引き寄せられるが、スリーブの２つの横方向縁部が重なり合うことはない。
【００６２】
締結バンドの解放可能な締結を可能にするために、第１及び／又は第２の横方向側領域（即ち、締結バンドを備えた同一の１つ又は複数の領域）は、好ましくは、相補的な係合構造を備える。例えば、スリーブのそれぞれの横方向側領域（複数を含む）、具体的にはその（それらの）外側表面は、締結バンドの遠位端部分の第２の主表面上の機械的締結要素により係合されるように適合された構造を有するか又は構造が（解放可能に、あるいは固定的に）提供される。これに加えるか又はこれに代えて、締結バンドが、スリーブの第１の横方向側領域の外側表面に（解放可能に、あるいは固定的に）取り付けられた近位端部分を備える実施形態では、バンドの近位端部分の第２の主表面は、締結バンドの遠位端部分の第２の主表面上の機械的締結要素によって係合されるように適合された構造を有してもよく、又は構造が提供されてもよい。
【００６３】
締結バンドの、第１及び／又は第２の横方向側縁部を越えて延在する部分のスリーブの横断方向に対する幅は、少なくとも３ｃｍ、具体的には少なくとも６ｃｍであり得る。加えて、又は代替的に、締結バンドの、第１及び／又は第２の横方向側縁部を越えて延在する部分のスリーブの横断方向に対する幅は、最大２５ｃｍである。近位端部分を含む締結バンドを含むような実施形態では、前記近位端部分が互いに連結され得る、及び／又は、一体的であり得る。
【００６４】
近位端部分を含む締結バンドを含むような実施形態について上述したように、近位端部分は、スリーブのそれぞれの第１及び／又は第２の横方向側領域に固定的に取り付けても、あるいは解放可能に取り付けてもよい。解放可能に取り付けられる時には、近位端部分の第１の（内側）主表面は、機械的締結要素、具体的にはオス締結要素（第２のバンド締結要素）、より具体的には、フックファスナー、マッシュルーム形ファスナー、ステム形ファスナー、カップ形ファスナー、Ｔ字形ファスナー、ピン形ファスナー、及びこれらの混合物からなる群から選択されるオス締結要素を有するのが有利である。加えて、スリーブのそれぞれの第１及び／又は第２の横方向縁部領域の外側表面は、前記第２の締結要素により係合するように適合された構造を有してもよく、あるいは構造が提供されてもよい。第２のバンド締結要素は、締結バンド（第１のバンド締結要素）の遠位端部分に好ましくは提供された手締結要素をと同一でも、異なってもよい。具体的な構成に応じて、それぞれの係合構造と第２のバンド締結要素との間の係合解除のための力が、それぞれの係合構造と第１のバンド締結要素との間の係合解除に必要な力よりも高い（即ち、剥離強度がより高い）締結要素を提供することが望ましいことがあることが理解されよう。
【００６５】
第２の横方向側領域がトリミング可能であるように構成される好ましい実施形態では、締結バンドを第２の横方向側領域に提供すべき場合、望ましくは、第２の横方向側領域に解放可能に取り付け可能となり、同様に取り外すことができ、次いで、その領域をトリミングしてサイズ決定した後に、締結バンドを再び取り付けられるように締結バンドが構成及び配置されるが理解されよう。より好ましくは、第２の横方向側領域がトリミング可能であるように構成され、システムが締結バンドを含むかかる実施形態では、第１の横方向側領域上にのみ締結バンドを提供することが有利である。
【００６６】
図１及び図２に示した例示的な実施形態に戻ると、スリーブの第２の横方向側領域（１５）が、締結バンド及びリングなどの構造的要素を有さず、トリミングすることができることが分かる。上述のように、例示的な実施形態は、好ましくは、２次閉鎖要素（５）を含む。この要素は、好ましくは舌として構成され、スリーブ（１）と二重に解放可能に取り付け可能、すなわち、スリーブの第１の横方向側領域（１３）に提供される締結バンド（２）と、また、スリーブの第２の横方向側領域（１５）と、具体的には第２の横方向側縁部（１０）に沿って解放可能に取り付け可能である。具体的には、図１では、圧迫システムの２次閉鎖要素（５）には、好ましくは、閉鎖要素の上縁部（７７）と下縁部（８８）との間に長さ方向に連続して複数のリング（１６）が提供されていることが分かる。締結バンドのそれぞれについて単一のリングが提供されていることにより、閉鎖要素が、例えば、第２の横方向側縁部（１０）に沿ってスリーブに（解放可能に）取り付けられる際、締結バンドの各々の反対側にリングが配置されることになる。具体的には、締結バンド（２）及びリング（１６）は、使用時にバンドをリングに通してからそれ自体の上に折り返すことにより、スリーブ（１）の第１の横方向側縁部（９）がリングに向かって引き寄せられることで、スリーブが使用者の手足の周囲に締め付けられるように構成及び配置されており、次いで締結バンドを締めるとスリーブが使用者の手足の周囲に拘束され、より具体的には第１の横方向縁部がスリーブの第２の横方向縁部（１０）に向かって引き寄せられるが、スリーブの２つの横方向縁部が重なり合うことはない。
【００６７】
更に、２次閉鎖要素（５）には、リング（１６）の列の一方の側に長さ方向に連続して延在する複数のフラップ対（５０）が提供されている。代替的な実施形態では、閉鎖要素に、リングの列の一方の側に長さ方向に延在する単一の細長いフラップ対を提供することもできる。かかる例示的な実施形態が図５に示されており、２次閉鎖要素（５）には、フラップの列の代わりに、リング（１６）の列の一方の側に長さ方向に延在する単一の細長いフラップの対（５０）が提供されている。フラップの各対は、内側フラップ（５２）に重なる外側フラップ（５１）を含んでいる。図１の例示的な実施形態に見られるように、それぞれのフラップ対の内側フラップ（複数を含む）は、隣り合う対（複数を含む）の内側フラップと架橋され、かつそれと一体的であるため、内側フラップは１枚の細長いフラップの形で提供されている。代替的に、内側フラップは、外側フラップと同様、一連の個々の分離された（より短い）ストリップの形態で提供することもできる点が理解されよう。図１に示した実施形態、具体的には図２の断面図から理解されるように、外側フラップ及び内側フラップの対応する内側表面（５１、５２）は、機械締結要素（６１、６２）を含み、前記機械締結要素（６１、６２）は、少なくともスリーブ（１）の第２の横方向側領域（１５）のそれぞれ外側及び内側表面（３、４）を解放可能に係合するように適合される。スリーブの少なくとも第２の横方向側領域の内側及び外側表面のそれぞれは、それぞれ内側及び外側フラップの内側表面上に提供された機械的締結要素が係合するように適合された構造（例えば、スリーブに使用される特定の材料と一体的である）を有するか、又は構造（例えばスリーブに使用される下層材料上の第２の係合材料の積層体）を提供することができる点が理解されよう。更に、フラップの各対において、少なくとも外側フラップ（５１）が内側フラップ（５２）に対して動くことができることにより、外側フラップは長手方向又は実質的に長手方向の軸（Ａ）を中心として、内側フラップに対してヒンジ運動を行うことが可能である。これは図１の左上に最も分かりやすい。この場合、外側フラップの１つが開放位置で示されており、軸（Ａ）に沿ったヒンジ運動により外側フラップが内側フラップから離れる方向に動くことによって、その内側表面及び機械的締結要素が露出している。外側フラップ（複数を含む）（５１）のヒンジ運動の軸（Ａ）は、リング（１６）の列に向かって（近位に）位置付けられている。好ましくはリング（１６）の列は、使用時に閉鎖要素（５）がスリーブ（１）の第２の横方向側縁部（１０）に沿ってスリーブに取り付けられる際に、リングの列が第２の横方向側縁部の遠位に配置されるように構成及び配置されることが分かる。
【００６８】
以下に、２次閉鎖要素を含む同様の圧迫システムの図１及び図２に示した圧迫システムを適用する例示的な方法を提供する。望ましくは、２次閉鎖要素は、後のステップでの締め付け可能にする位置でバンドによりスリーブに取り付けられる。換言すると、締結バンド（２）は、（例えば、閉鎖要素上の対向するリング（１６）を使用して）２次閉鎖要素（５）と固定され、それにより、２次閉鎖要素が、スリーブ（１）の第１の横方向側縁部（９）に沿ってバンドにより取り付けられる。その前、あるいはその後に、外側フラップ（５１）のそれぞれは、下にある内側フラップ（５２）から離れる方向にヒンジ運動で動き、それにより、その上の内側表面及び機械締結要素（６２）が露出される。圧迫システム（１００）の２次閉鎖要素（５）を、治療される使用者の身体部分（例えば、手足）に沿って位置付け、スリーブ（１）をスリーブの取り付けられた側から取り付けられていない側に大まかに向かって身体の一部の周囲に巻き、選択された状態及びフィットでスリーブが身体部分を覆うようにスリーブの一部（例えば第２の横方向側領域（１５）の一部）を２次閉鎖要素上の内側フラップ（複数を含む）（５２）の内側表面に重なるように配置することにより、スリーブの内側表面が内側フラップ（複数を含む）の内側表面に提供された機械的締結要素と解放可能に係合する。内側表面を越えて（通常、予想されるように）、具体的にはスリーブの中央部分の遠位に内側フラップ（複数を含む）の機械的締結要素を越えて延在する、スリーブ（１）の余分な係合していない材料がある場合にはこれをハサミでトリミングする。トリミング後、あるいは代替的には、スリーブが偶然にちょうど正しいサイズであった場合には、スリーブ（１）の第２の横方向側縁部（１０）（トリミングにより新たに形成されるか又は元々のもの）に隣接した部分の内側表面（４）に内側フラップ（複数を含む）（５２）の機械的締結要素（６２）が係合するが、この時点では、外側フラップ（５１）は内側フラップ（複数を含む）から、依然としてヒンジを介して離れており、したがって外側フラップの機械的締結要素（６１）は係合していない状態にある。次の工程では、外側フラップ（５１）を、例えば長手方向軸Ｌに沿ったヒンジ運動によって内側フラップ（複数を含む）（５２）の方向に動かしてスリーブ（１）の外側表面（３）と接触させることにより、外側フラップの内側表面に提供された機械的締結要素（６１）が、スリーブの外側表面、具体的にはその内側表面（４）が内側フラップ（５２）の締結要素（６２）と解放可能に係合したスリーブの部分の外側表面と解放可能に係合する。システムが、手足の周囲に適用され、記載したように適切にサイズ決定されると、好ましくは、方法は、締結バンドを緩めるステップと、使用者の手足の周囲でスリーブを締め付け、選択された圧縮レベルを提供するように締結バンドを再配置するステップと、締結バンドを再締結するステップとを含む。
【００６９】
上述の説明から、２次閉鎖要素は、使用中に閉鎖要素が第２の横方向側縁部に沿ってスリーブに取り付けられ、締結バンドのそれぞれが締められる際に、閉鎖要素がスリーブの第１及び第２の横方向側縁部に隣接して略中心に位置付けられ、かつ第１及び第２の横方向側縁部に沿って延在するように、構成され、かつスリーブに対して配置され、これにより、閉鎖要素は、使用者と、スリーブの第１及び第２の横方向縁部間で画定される開口部との間に位置することになることが理解されよう。
【００７０】
例えば、これは、例えば着用者の手足（図３には手足は示されていない）に巻かれ、その周囲を締め付けるように見える図１及び図２の例示的な圧迫システム（１００）を示す図３を参照すると最もよく理解される。図４は、図３に示した構成の例示的な実施形態の一部の断面図を示し、そこから、２次閉鎖要素（５）が、スリーブ（１）の第１及び第２の横方向側縁部（９、１０）に隣接して略中央に位置付けられ、第１及び第２の横方向側縁部（９、１０）に沿って延在することが理解できる。
【００７１】
図２に示される断面図を参照すると、外側フラップ（５１）のそれぞれは、ヒンジ運動の軸に沿って閉鎖要素（５）の外側表面に取り付けられている（具体的には間接的に取り付けられている）ことが理解される。内側フラップを形成する細長いストリップも、前記ヒンジ運動の軸に沿って閉鎖要素の外側表面に取り付けられている（具体的には間接的に取り付けられている）ことが更に理解される。代替的な実施形態では、内側フラップ（複数を含む）は、閉鎖要素の外側表面上に完全に取り付けることができる。
【００７２】
一般的に、フラップの内側表面に提供される機械的締結要素は、好ましくはオス締結要素、より好ましくは、フックファスナー、マッシュルーム形ファスナー、ステム形ファスナー、カップ形ファスナー、Ｔ字形ファスナー、ピン形ファスナー、及びこれらの混合物からなる群から選択されるオス締結要素を含む（下記では、フラップファスナー、又はより具体的には内側及び外側フラップファスナーと称される）。内側バンドファスナーは、外側バンドファスナーと同じであっても異なっていてもよい。同様に、スリーブの内側表面の構造又は内側表面に提供される構造は、スリーブの外側表面の構造又は外側表面に提供される構造と同じであってよい。
【００７３】
スリーブの第２の横方向側領域の内側表面及び内側フラップの内側表面の機械的締結要素は、ＥＮ１３７８０に従って測定した場合に少なくとも２Ｎ／ｃｍ２のせん断強度を提供するように構成及び配置することが望ましいことが分かった。加えて、又は代替的に、スリーブの第２の横方向側領域の内側表面及び内側フラップの内側表面の機械的締結要素は、ＥＮ１２２４２に従って測定した場合に０．６Ｎ／ｃｍ未満、より好ましくは０．３Ｎ／ｃｍ以下の剥離強度を提供するように構成及び配置することが望ましいことが分かった。内側フラップの内側表面に使用するのに好適であり得る機械的締結要素テープの例としては、Ｇｏｔｔｌｉｅｂ  Ｂｉｎｄｅｒ  ＧｍｂＨ＆Ｃｏ  ＫＧよりＭＩＣＲＯＰＬＡＳＴの商品名で販売されるもの、例えば商品番号２５４４２、２５４４３、２５４４５、２５４４６及び２７４４３のもの、又は３Ｍ  Ｄｅｕｔｓｃｈｌａｎｄ  ＧｍｂＨ（ヘルスケアビジネス）より製品番号＃７３３４で販売されるものなどの、係合要素としてマッシュルーム形要素を有する低プロファイルの押出成形可撓性フィルム締結テープが挙げられる。
【００７４】
スリーブの第２の横方向側領域の外側表面及び外側フラップの内側表面の機械的締結要素は、ＥＮ１３７８０に従って測定した場合に少なくとも７Ｎ／ｃｍ２のせん断強度を提供するように構成及び配置することが望ましいことが分かった。加えて、又は代替的に、スリーブの第２の横方向側領域の内側表面及び内側フラップの内側表面の機械的締結要素は、ＥＮ１２２４２に従って測定した場合に少なくとも０．６Ｎ／ｃｍ未満の剥離強度を提供するように構成及び配置することが望ましいことが分かった。加えて、又は代替的に、スリーブの第２の横方向側領域の内側表面及び内側フラップの内側表面の機械的締結要素は、ＥＮ１２２４２に従って測定した場合に最大１０Ｎ／ｃｍ、より望ましくは最大５Ｎ／ｃｍの剥離強度を提供するように構成及び配置することが望ましいことが分かった。外側フラップの内側表面に使用するのに好適であり得る機械的締結要素テープの例としては、Ｖｅｌｃｒｏ  ＵＳＡ  Ｉｎｃ．よりＶＥＬＣＲＯ（例えばフック０８８）若しくはＶＥＬ−ＬＯＣ若しくはＳＵＰＥＲ  ＶＥＬ−ＬＯＣ（例えば品番０８５、０８３又は四葉形）の商品名で販売される織布マッシュルームテープ、又はＡｌｆａｔｅｘ  Ｌｔｄ．よりＧＲＩＰＰＥＲ（例えば中密度ｐｐ）の商品名で販売される押出成形フックテープが挙げられる。
【００７５】
２次閉鎖要素、具体的には、舌の形態で構成される２次閉鎖要素は、長さ方向に延在する１つ以上の細長い補強材を好ましく含むことができる。上で言及されるように、補強材は、例えば金属又は熱成形可能な熱可塑性材料（例えばポリプロピレン、ポリアミド、ポリエステル（例えば３Ｍ  Ｓｃｏｔｃｈｃａｓｔ熱可塑性材料７２３６２））を含む熱可塑性材料で形成することができる。５ｍｍよりも大きい幅を有する補強材では、通気性を与えるために補強材に穿孔部を提供することが好ましい場合もある。設計及び／又は固定の目的で、補強材を閉鎖要素の適切な部分（複数を含む）の表面に位置付け、次いでこれを、閉鎖要素のそれぞれの部分（複数を含む）に縫い付けられるか又は積層される布地のシートによって完全に覆うことができる。
【００７６】
２次閉鎖要素は、スペーサー布地及び／又は発泡材で構成することができる。更に、閉鎖要素は、少なくとも１層、具体的には２層以上の、スペーサー布地、発泡材、又はこれらの組み合わせからなる群から選択される材料を有する多層構造を有する。好適な発泡材としては、形状記憶発泡材、具体的には高密度形状記憶発泡材が挙げられる。高密度形状記憶発泡材は、少なくとも６５ｋｇ／ｍ３、具体的には少なくとも７０ｋｇ／ｍ３、より具体的には少なくとも８５ｋｇ／ｍ３、最も具体的には少なくとも１０５ｋｇ／ｍ３の密度を有する形状記憶発泡材である。好適な形状記憶発泡材の例としては、Ｆｉｌｔｒｏｎａ  Ｐｏｒｏｕｓ  Ｔｅｃｈｎｏｌｏｇｉｅｓ  ＧｍｂＨより入手可能なＳＲＦ  ＥＰ２、Ａｒｇｕｓ、Ａｒｇｕｓ  Ｓｏｆｔ、及びＡｒｇｕｓ  Ｓｕｐｅｒｓｏｆｔの商品名で販売される高密度形状記憶発泡材が挙げられる。好適なスペーサー布地の例としては、Ｍｕｌｌｅｒ  Ｔｅｘｔｉｌ  ＧｍｂＨ（５１６７４ヴィール−ドラベンダーホッヘ、ドイツ）より製品番号５７５４及び６０１８で入手可能なポリエステルスペーサー布地が挙げられる。取り付けられた構造的要素（例えばフラップ、リングなど）を除いた閉鎖要素は、好ましくは２ｍｍ〜１２ｍｍ（端点を含む）の厚さ、具体的には３ｍｍ〜８ｍｍ（端点を含む）の厚さを有する。縫い目、補強材（適用される場合）、及び取り付けられた構造的要素（例えばフラップ、リングなど）がない領域では、閉鎖要素は、ＩＳＯ９２３７：１９９５に従い、２００Ｐａの試験圧力を用いて測定した場合に４０ｃｍ／ｓ以上、より好ましくは８０ｃｍ／ｓ以上、更により好ましくは１２０ｃｍ／ｓ以上、最も好ましくは１６０ｃｍ／ｓ以上の空気透過率、及び／又はＩＳＯ  １５１０６第１部に従って測定した場合に１０００ｇ／（ｍ２×２４ｈ）以上、より好ましくは１６００ｇ／（ｍ２×２４ｈ）以上、更により好ましくは２２００ｇ／（ｍ２×２４ｈ）以上、最も好ましくは２８００ｇ／（ｍ２×２４ｈ）以上の水蒸気透過率を有する。
【００７７】
図１に示される例示的な実施形態及び図２の閉鎖要素の断面図に戻ると、２次閉鎖要素（５）は長さ方向に延在する細長い補強材（４２）を有していることが分かる。細長い補強材は、フラップとして２次閉鎖要素の対向側に位置付けられることが望ましく、換言すると、細長い補強材は、使用時にスリーブが締め付けられる際に、リングが補強材の片側（前記補強材の、フラップに対して遠位側）に向かって位置するように、フラップ及びリングに対して位置付けられることが望ましく、具体的には、細長い補強材は、使用時に、スリーブが締め付けられる際に、補強材がリングとフラップとの間に本質的に位置するように、位置付けられる。補強材は、弾性材料（例えばスペーサー又は発泡材料）で形成された内側層（６）と適切な被覆材料で形成された上側層（３６）の２つの層の間に配置される。
【００７８】
図１の例示的な実施形態では、リング（１６）のそれぞれは、２次閉鎖要素（５）、具体的にはストラップ（１７）によって閉鎖要素の外側表面に連結される。図２の断面図から、ストラップの一端はリングを担持し、他端は、閉鎖要素に、具体的にはそれらの外側表面に（直接的あるいは間接的に、好ましくは固定して）取り付けられ、したがって、ストラップは、スリーブに対して実質的に横断方向に閉鎖要素とリングとの間に延在することが分かる。閉鎖要素に取り付けられるストラップの端部は、フラップ対の近位、具体的には外側フラップのヒンジ運動の軸の近位に望ましくは位置し、リングを有するストラップの端部はフラップ対の遠位に位置する。
【００７９】
望ましくは、ストラップは少なくとも横断方向（スリーブに対する）に弾性を有する材料で構成された伸展可能なストラップ部分を有し、伸展可能なストラップ部分は、その非伸展状態にある場合（例えば圧迫システムが使用されていない場合）には、外側に盛り上がった材料のループが外部方向に存在し、使用時に閉鎖要素がスリーブに取り付けられてスリーブの横断方向に張力が提供される場合には伸展可能なストラップ部分は横断方向に伸展してループが平坦化される（最終的にはなくなる）ように構成及び配置されている。
【００８０】
図１に示される例示的な実施形態、具体的には図２の断面図に戻ると、ストラップ（１７）のそれぞれは外部に向かって外側に盛り上がったループ（２０）を有するように構成された伸展可能部分（２１）を有していることが分かる。具体的には、上から見た場合に、表示ループは隆起又はこぶの一般形態を有することが分かるが、このループ状の形態は、図１と同様に非伸展状態にある伸展可能なストラップ部分を示す図２に示される断面図に最も分かりやすい。
【００８１】
ストラップの伸展可能部分は、外側材料層（１８）と内側材料層（１９）の２つの層で好ましく構成されていることも分かるが、内側材料層が外側材料層に取り付けられることによって、伸展可能なストラップ部分がその非伸展状態にある場合に内側層の上に外側層材料のループ（すなわち、ループ（２０））を提供し、このループは、使用時に横断方向に張力が提供され、それに応じて伸展可能なストラップ部分が伸展するとそれぞれ平坦化することができる。
【００８２】
ストラップの伸展可能部分が２つの層を有する実施形態では、内側層材料の弾性率（横断方向の）に内側層材料の厚さを乗じた積は、外側層材料の弾性率（横断方向の）に外側層材料の厚さを乗じた積以下であることが好ましい。より好ましくは、内側層材料の弾性率に内側材料層の厚さを乗じた積は、外側層材料の弾性率（横断方向の）に外側層材料の厚さを乗じた積よりも少なくとも２倍、より好ましくは少なくとも４倍低くなっているため、はっきりとしたループから完全に平坦化されたループへの変化には長さの点で大きな伸長を必要としない。好ましくは、外側層及び内側層材料の少なくとも一方は、少なくとも横断方向に弾性を有し、より好ましくは、内側層材料は、少なくとも横断方向に弾性を有する。
【００８３】
弾性率（Modulus of elasticity）（elastic modulusとも呼ばれる）は、「Ｓｔａｎｄａｒｄ  Ｔｅｓｔ  Ｍｅｔｈｏｄ  ｆｏｒ  Ｔｅｎｓｉｌｅ  Ｐｒｏｃｅｄｕｒｅ  ｏｆ  Ｔｈｉｎ  Ｐｌａｓｔｉｃ  Ｓｈｅｅｔｉｎｇ」という標題のＡＳＴＭ  Ｄ  ８８２−０９に従って測定することができる。この規格は、薄いシート材の形のプラスチックの張力特性の測定に関するものであると明白に述べているが、記載される試験方法及び弾性率の測定は、本明細書に述べられる圧迫装置での使用に好適な材料に関しても好適に使用することができることが見出された点に注意されたい。
【００８４】
望ましくはループの材料（例えば２層の伸展可能なストラップ部分の外側層材料）の弾性率（横断方向の）にループの材料の厚さを乗じた積は、主材料の弾性率（横断方向）に主材料の厚さを乗じた積の少なくとも９０％であることが好ましく、具体的には、ループの材料の弾性率（例えば２層の伸展可能なストラップ部分の外側層材料）にループの材料の厚さを乗じた積は、主材料の弾性率に主材料の厚さを乗じた積に等しいかそれよりも大きい。
【００８５】
図１の例示的な実施形態に戻ると、締結バンドのそれぞれは、内側バンド部分（２３）により連結された近位端部分（２２）と遠位端部分（２４）とを備える。図１に示される例示的な実施形態では、近位端部分（２２）は、スリーブの第１の横方向側領域（１３）に固定的に（例えば接着剤、接着、又は縫い付けにより）取り付けられている。締結バンド（２）は、その遠位端部分（２４）がスリーブの中央部分（１４）から離れて位置付けられるようにして、スリーブの実質的に横断方向にバンドのそれぞれが延在するようにスリーブに取り付けられている（この場合では固定的に取り付けられているが代替的な実施形態では解放可能に取り付けられる）。例示的な実施形態では、締結バンドの近位端部分は、締結バンドの組をスリーブ上に組み付けることを容易とし、かつ／又はスリーブに対する締結バンドの取り付けの固さを高めるために、互いに架橋され得る、及び／又は一体的であり得ることが分かる。バンドのそれぞれは、その延ばされた構成では、内側に面した第１の主面（３４、図１では付番されていない）及び外側に面した第２の主面（３３）を有しており、この例示的な実施形態では、バンドの近位端部分が第１の横方向側領域（１３）の外側表面（３）に取り付けられているため、締結バンドの幅にわたった第１の主面がスリーブの外側表面に向かって配置され、第２の主面はスリーブの外側表面から離れて配置されていることが理解できる。バンドの遠位端部分（２４）の第２の主面（３３）は、機械的（例えばオス）締結要素（２５）を有している。図に示される例示的な実施形態では、締結バンドの近位端部分（２２）の第２の主面は、前記機械的（例えばオス）締結要素が係合するように適合される構造（２６）（例えばループ係合材料）を有するか又は構造が提供されている。締結バンドの内側バンド部分の第２の主面も、遠位端部分（２４）の第２の（外側）主面（３３）上の前記機械的（例えば、オス）締結要素が係合するように適合される構造（２６）を有するか又は構造が提供されている。
【００８６】
代替的な実施形態では、スリーブの少なくとも第１の横方向側領域の外側表面は上記に加えるか又は上記に代えて、締結バンドの遠位端部分の第２の主面上の機械的締結要素が係合するように適合される構造を有するか又は構造が提供される。スリーブの少なくとも第１の横方向側領域の外側表面が、締結バンドの近位端部分ではなく、係合構造を備える実施形態では、近位端部分は図１の例示的な実施形態に示されるものよりも大幅に小さいものとして構成することができる。これは、図５に示される例示的な実施形態から理解することができる。この実施形態では、図１の実施形態と同様、締結バンド（２）の遠位端部分（２４）の第２の主面（３３）が、機械的締結要素（２５）、具体的にはオス締結要素（例えば、フック形又はマッシュルーム形のファスナー）を好ましく有している一方で、この場合の第１の横方向側領域（１３）の外側表面（３）には、前記機械的（オス）締結要素が係合するように適合される構造（２９）（例えば、ループ係合材料）が提供されている。図６も更に参照されたい。代替的な実施形態では、例えばループ係合材料が各々に提供された（例えば、積層された）２つの横方向側領域を有する代わりに、スリーブの外側表面全体にこうした材料を提供することができる点が理解されよう。図５に示される例示的な実施形態に戻ると、締結バンド（２）の近位端部分（２２）は、係合構造を含んでおらず、横断方向のサイズは大幅に小さくなっており、締結バンドを第１の横方向側領域（１３）の最も外側の部分に第１の横方向側縁部（９）に沿って、第１の横方向側縁部（９）に隣接して取り付ける（通常は固定的取り付け）ことが充分に可能であるように構成されていることが理解できる。かかる実施形態では、締結バンドの近位端部分は、スリーブの内側表面に、やはり第１の横方向側縁部に沿って第１の横方向側縁部に隣接して取り付けることもできる点が理解されよう。
【００８７】
図７に示される例示的な実施形態は、締結バンド（２）がスリーブ（１）の外側表面（３）に解放可能に取り付けられた圧迫システム（１００）の一例である。この例示的な圧迫システムは、図１に示される例示的な実施形態と類似しており、２次閉鎖要素（５）は同じであるが、スリーブ（１）及び締結バンドは、例えば、後者を前者に解放可能に取り付けることができるように異なっている。具体的には、この例示的な実施形態では、締結バンド（２）の近位端部分（２２）の第１の（内側）主面（３４）には、機械的締結要素（具体的にはオス締結要素）（２７）が提供され、スリーブ（１）の外側表面（３）全体に例えば適切な材料（例えば、ループ係合材料）を積層することにより、前記機械的（オス）締結要素（２７）と係合するように適合される構造（３８）が提供されている。これは、図７のスリーブの断面図を示す図８に最も分かりやすく示されており、締結バンドの近位端部分（２２）の内側表面（３４）が、スリーブ（１）の第１の横方向側領域（１５）の外側表面（３）に解放可能に取り付けられている様子が示されている。好ましくはスリーブの外側表面に提供された係合構造（３８）は、２次閉鎖要素（５）の外側フラップ（５１）上に提供された機械的（オス）締結要素（６１）と係合するように適合されている点が理解されよう。この例示的な実施形態では、スリーブの第１及び第２の横方向側領域（１３、１５）はトリミング可能であるように構成されることが望ましく、上で言及されるように、かかる構成は、特に通常であればカスタムサイジングが必要となるであろう特殊な手足の幅又は外周を有する使用者において、幅及び／又は外周の調節に関する高い自由度を可能とする点で有利である。
【００８８】
締結バンドがスリーブの第１の横方向側領域に固定的に取り付けられているか又は解放可能に取り付けられているかによらず、（例えば製造又は組み立てを容易とする目的で）第１の横方向側領域、中央領域、及び第２の横方向側領域は同じ構成とされることが有利であり、すなわち、各領域の外側表面が、外側フラップの内側表面上の少なくとも機械的締結要素、具体的には外側フラップ（複数を含む）の内側表面上の機械的締結要素及び締結バンドの遠位端部分の第２の主面上の機械的締結要素の両方、解放可能に取り付けられた締結バンドの場合には、より具体的には３つすべての種類の機械的締結要素、外側フラップ（複数を含む）の内側表面上のもの、締結バンドの遠位端部分の第２の主面上のもの、及びすなわち、締結バンドの近位端部分の第１の主面上のものが係合するように適合される構造を有するか又は構造が提供される。固定的に取り付けられた締結バンドを有する実施形態では、外側フラップ（複数を含む）の内側表面上の機械的締結要素と締結バンドの遠位端部分の第２の主面上の機械的締結要素とは同じであってよい。解放可能に取り付けられた締結バンドを有する実施形態では、締結バンドの遠位端部分の第２の主面上の機械的締結要素と、上で言及されるように締結バンドの近位端部分の第１の主面上の機械的締結要素とは好ましくは異なるものであり、後者（すなわち、第２のバンドファスナー）と関連する係合構造とが、前者（すなわち、第１のバンドファスナー）と係合構造とよりも強力な締結（例えばより高い剥離強度）を提供する。かかる実施形態では、外側フラップ（複数を含む）の内側表面上の機械的締結要素は、第２のバンドファスナー又は第１のバンドファスナーのいずれかと同じものとすることができる。
【００８９】
図９及び図１０に示される例示的な実施形態は、２次閉鎖要素（５）に提供された適切な相補的な係合構造（５５）上に締結バンド（２）が直接締結される圧迫システム（１００）の一例である。更に、締結バンドは、スリーブ（１）の第１の横方向側領域（１５）と一体的である。後者に関して、図９の右側より、締結バンド（２）は、スリーブ（１）の第１の横方向側縁部（９）からスリーブの実質的に横断方向に延出していることが分かる。上で言及されるように、かかる場合、スリーブの第１の横方向側縁部は、締結バンド（９−１）の間に位置し、該当する場合には、最も上及び／又は最も下の締結バンドに隣接したスリーブの第１の横方向側領域（１５）の外側縁部と、スリーブの第１の横方向側領域と締結バンドとの間の境界（９−２）を含む線（図９では破線で示されＥで示される）に沿って延在しているものと理解される。図１０の右側を参照すると、締結バンドの遠位端部分（２４）の第１の（内側に面した）主表面（４４）には、機械的（オス）締結要素（５６）が提供されている。リングを有する例示的な実施形態と比較して、締結バンドが第１の横方向側縁部上に延在する大きさは、通常大幅に小さいことが理解されるであろう。図９及び図１０の左側を見ると、この例示的な実施形態では、２次閉鎖要素（５）の外側表面には、締結バンドの遠位端部分の第１の主表面上の機械的締結要素、例えば、ループ係合材料が係合するように適合される構造（５５）が提供されていることが分かる。具体的には、前記係合構造の個々のパッチが、締結バンドの各々に対して提供され、フラップ（５０）対が、一連の係合構造のパッチの一方の側に長さ方向に延在している。上記に述べた他の例示的な実施形態と同様、外側フラップ（５１）のヒンジ運動の軸（Ａ）は前記係合構造の近位に位置付けられ、使用時に閉鎖要素がスリーブの第２の横方向側縁部（１０）に沿ってスリーブに取り付けられると、締結バンドの係合構造は第２の横方向側縁部の遠位に配置される。代替的な実施形態では、係合構造の単一の大きな部分を提供するか、又は２次閉鎖要素の外側表面が、締結要素と係合することができる構造を本質的に有し得ることが理解されよう。
【００９０】
図１、図５、図７及び図９に示される例示的な実施形態の各々において、フラップは、ウェブ積層体で構成され、フラップを形成する外側ウェブ材料の内側表面の関連部分に、適切なウェブ又はテープ状締結材料を外側ウェブ材料上に積層することによって機械的締結要素が提供されることが理解されよう。代替的な実施形態では、フラップ対は、好ましくは射出成形された構成要素とすることができる。
【００９１】
使用時の本システムのスリーブによって被覆される使用者の身体部分（例えば、ふくらはぎを含む下腿）の部分にわたって好ましい解剖学的フィット性の提供を容易にするするため、好ましくは、リング又はバンド間の隙間を含む複数のリング又は締結バンドはそれぞれ、上縁部から下縁部までのスリーブの高さの少なくとも７０％に相当する高さにわたって延在する。一般的に、リング又はバンド間の隙間を含む複数のリング又は締結バンドは、それぞれ、上縁部から下縁部までのスリーブの高さの７０％〜１００％以下、場合により１００％超に対応する高さにわたって延在することが望ましい。リング又はバンド間の隙間の高さは、０．１ｍｍ〜７ｃｍ（端点を含む）、具体的には０．３ｍｍ〜３ｃｍ（端点を含む）、より具体的には０．５ｍｍ〜２ｃｍ（端点を含む）の範囲とすることができる。
【００９２】
本明細書に示される例示的な実施形態には具体的に示されていないが、本明細書に述べられる圧迫システムは、他の構造的要素、例えば、スリーブから延在する、具体的にはスリーブの下縁部の適切な部分から延在する足部を有するように構成することができる。かかる足部は、スターラップ（stir-up）の形に構成及び配置するか、あるいはかかる足部は足をより広く覆うように構成することもできる。更に、スリーブ及びかかる足部は、爪先部分が閉じているか又は開いた、かつ／又は踵部分が閉じているか又は開いたブーツ状の圧迫装置を提供するように構成及び配置することができる。かかる足部には、スリーブが一体的に提供されてもよく、又は代替的に、ボタン、機械的ファスナーなどの適切な締結手段によってスリーブに取り付けることができる別の構成要素として提供されてもよい。圧迫装置は、外周のサイズの修正を容易にするために、ブラダー又はゲルインサートを含んでもよい。これ点において、例えば、スリーブに、必要又は所望に応じて、かかるインサート（複数を含む）を挿入する、及び／又は取り出すことができるようにインサート用の二重壁又は内部ポケットを提供することができる。
【００９３】
次の例は、本発明の実施を更に例証する。実施例は、添付の特許請求の範囲で定義される本発明に制限することを意図するものではない。
【００９４】
試験方法−材料特性
伸長率、回復伸長率、及び張力−伸長曲線の初期傾斜についての試験法：
ＢＳ  ＥＮ  １４７０４−１：２００５「布地の弾性の測定、第１部：ストリップ試験：方法Ａ、編地」に基づいて、定速伸長引張試験機を用いた測定により、伸長率、回復伸長率、並びに張力−伸長曲線の初期傾斜を判定した。データ取得頻度（６．１ｂ．）は、通常、６０データセット／秒とした。前述の試験方法に、以下の変化及び／又は条件を適用した。
（ｉ）データ取得頻度は、少なくとも８／秒、即ち、通常６０／秒とした。（６．１ｂ参照）。（ｉｉ）ストリップ試験試料を測定方向に対して平行な長さで切断した、即ち、機械方向（ＭＤ）又はクロスウェブ方向（ＣＷ）のそれぞれにおける判定のために（スリーブで材料が使用される具体的な向きが、スリーブの横断／周方向又は長手方向のいずれか対応し得ることに応じて）試料の長さが材料の前記機械方向又はクロスウェブ方向（ＣＷ）にいずれか平行であるようにストリップを切断した。
（ｉｉｉ）試料のサイズは、長さ１５０ｍｍ、幅５０ｍｍとした（８．２．２．１．１を参照）。
（ｉｖ）ゲージ長は、１００ｍｍに設定した（９．２．１．１を参照）。
（ｖ）伸び及び収縮率は、１００ｍｍ／分に設定した（セクション９．２．１．２）。
（ｖｉ）必要なサイクリング限度は、前記ゲージ長及び（所与の試料幅の５０Ｎに対応する）１０Ｎ／ｃｍ幅の固定荷重に設定した（サブセクション９．２．１．３を参照）。
（ｖｉｉ）第１のサイクル並びに最終（即ち第５の）サイクルで、試験機を、１分間、１０Ｎ／ｃｍ幅で保持するよう設定した（９．３の注２を参照）。
（ｖｉｉｉ）回復期間は、３０分間であった（９．３の注３を参照）。
（ｉｘ）試験試料を、２４時間、５０％ＲＨかつ２０℃で予備調整した。
（ｘ）試験試料数は３つとした。
結果は以下の通りである。
（ａ）伸長率（Ｓ）（％）＝［（最終（第５の）サイクル及び１分間の保持時間後の最大の力における伸び（ｍｍ）−初期の長さ）／初期の長さ］×１００（以下では、１０Ｎ／ｃｍにおける最終伸長率と称する）；
（ｂ）回復伸長率（Ｄ）（％）＝（１００−非回復伸長率（％））；非回復伸長率（Ｃ）（％）＝［（Ｑ−Ｐ）／Ｐ］×１００（ただし、Ｑは、第５のサイクル後の特定の保持及び回復期間の後の適用された基準マーク間の距離（ｍｍ）であり、Ｐは、基準マーク間の初期の距離（ｍｍ）である）；
（ｃ）張力−伸長曲線の初期傾斜は、張力−伸長曲線の第５のサイクルの立ち上がり部に、０．１Ｎ／ｃｍ及び０．９Ｎ／ｃｍに最も近い張力（Ｔ）を有する２つのデータセットの差分係数を算出することによって判定された。即ち、傾斜＝（Ｔ２−Ｔ１）／（Ｓ２−Ｓ１）。
【００９５】
水蒸気透過率（ＷＶＴＲ）の試験法
試験方法ＤＩＮ  ＥＮ  ＩＳＯ  １５１０６−第１部：２００５「水蒸気透過率の測定、第１部、湿度検出センサー法」（Determination of Water Vapour Transmission Rate−Part 1 Humidity Detection Sensor Method）」に従って、以下のパラメータ、条件、及び／又は所与の方法への変更を用いて、布地の水蒸気透過率を判定した。
（ｉ）３８℃；水蒸気差９０％；相対湿度（上側チャンバ）１０％、相対湿度（下側チャンバ）１００％（表１；セクション８のパラメータセット２を参照）。
（ｉｉ）基準試料Ｃｏｒｅ  Ｔｅｘ、５０００ｇ／（ｍ２・２４ｈ）、ロット番号０７１８０８；１６．１１．２００９。
（ｉｉｉ）直径１０ｃｍの円形拡散区域。
（ｉｖ）内側から外側のＷＶＴＲを測定するために１つの試験試料を使用し（「内側」とは、材料の、手足に向くように設計された側である）、外側から内側のＷＶＴＲを測定するために１つを使用する。試料毎に、３回測定を実行した。報告値は、平均である。
（ｖ）直径３０ｍｍの切断円を有するダイを用いて試料をダイカットし、直径１０ｍｍの切断円を有するダイを用いてアルミニウムバリアフィルムをダイカットし、ＭＲＳ  Ｓｅｉｔｔｅｒ  ＧｍｂＨ．のバージョンＭＲＳ０２２５；ロット番号１００６０４の試料カードを使用した。
（ｖｉ）試験に先立って、試験試料を２４時間、５０％ＲＨかつ２３℃で予備調整した。
（ｖｉｉ）Ｇｉｎｔｒｏｎｉｃ  ＡＧ（スイス、ルティ、ＣＨ−８６３０）のＥａｓｙｐｅｒｍ  ＷＶＰＴ  ６５０Ｍを測定機器として使用した。
ｇ／（ｍ２・２４ｈ）単位で水蒸気透過率を報告する。
【００９６】
空気透過率の試験法
試験方法ＩＳＯ  ９２３７−１９９５に従って、以下のパラメータを用いて空気透過率を判定した。
（ａ）ＴｅｘＴｅｓｔ  Ｉｎｓｔｒｕｍｅｎｔｓ（チューリッヒ）のＰｅｒｍｅａｂｉｌｉｔｙ  Ｔｅｓｔｅｒ  ３ＦＸを測定機器として使用した。
（ｂ）試験圧力は２００Ｐａとした。
（ｃ）試験面積は２０ｃｍ２とした。
（ｄ）材料毎に５つの試料を測定した。
（ｅ）試験に先立って、試験試料を２４時間、５０％ＲＨかつ２３℃で予備調整した。
（ｆ）試験条件は、５０％ＲＨかつ２３とした。
（ｇ）リットル／ｍ２／ｓ（ｍｍ／ｓと同寸法）で測定した値を表示し記録した。空気透過率Ｒはｃｍ／ｓの単位で記録した。
（ｈ）平均及び標準偏差を、（布地試料の異なる場所から取った）５つの単一サンプルに基づいて判定し、判定した変動係数及び９５％の信頼範囲と共に報告した。
【００９７】
材料（主材料として）
Ｍ１：約６０ｇ／ｍ２のコーティング重量の熱溶融ウレタン接着剤を用いて積層され、細孔性を可能にするために適用される、スペーサー布地とフック係合布地との積層体。Ｍｕｌｌｅｒ  Ｔｅｘｔｉｌ（５１６７４ヴィール−ドラベンダーホッヘ、ドイツ）により商品名３ＭＥＳＨで販売される製品番号Ｔ７８０８−０３００−１５００−９００５の経編されたスペーサー布地（坪量約２８５ｇ／ｍ２）をスペーサー布地として使用した。Ｇｅｈｒｉｎｇ  Ｔｅｘｔｉｌｅｓ  Ｉｎｃ．（米国、ニューヨーク州ガーデンシティー、１１５３０）より販売される製品番号ＷＷ９８３のＵＢＬ（ｕｎｂｒｏｋｅｎ  ｌｏｏｐ）材料の１表面を有するＰｅｒｆｏｒａｔｅｄ  Ｎｙｌｏｎ（商標）布地（坪量約９０ｇ／ｍ２）をフック係合布地として使用した。有孔布地のＵＢＬ面とスペーサー布地のより広いメッシュ構造を有する表面とが、積層体材料の外側表面を形成するように積層させ、積層体は、総坪量が約４３５ｇ／ｍ２であり、厚さが３．８ｍｍである。
【００９８】
Ｍ２：約６０ｇ／ｍ２のコーティング重量の熱溶融ウレタン接着剤を用いて積層され、細孔性を可能にするために適用される、スペーサー布地とフック係合布地との積層体。ゲーリング・テキスタイルズ社より販売される製品番号ＳＨＲ７００／３  Ｄ３（１００％ポリエステル坪量２８８ｇ／ｍ２）の経編されたスペーサー布地をスペーサー布地として使用した。Ｇｅｈｒｉｎｇ  Ｔｅｘｔｉｌｅｓ  Ｉｎｃの製品番号ＷＷ９８３のＵＢＬ布地をフック係合可能な布地として使用した。有孔布地のＵＢＬ面とスペーサー布地のより広いメッシュ構造を有する表面とが、積層体材料の外側表面を形成するように積層させ、積層体は、総坪量が約４３８ｇ／ｍ２であり、厚さが２．６ｍｍである。
【００９９】
Ｍ３：約６０ｇ／ｍ２のコーティング重量の熱溶融ウレタン接着剤を用いて積層され、細孔性を可能にするために適用される、スペーサー布地とフック係合布地との積層体。Ｇｅｈｒｉｎｇ  Ｔｅｘｔｉｌｅｓ  Ｉｎｃ．の製品番号ＳＨＲ７００／３  Ｄ３の経編されたスペーサー布地をスペーサー布地として使用した。Ｇｅｈｒｉｎｇ  Ｔｅｘｔｉｌｅｓ  Ｉｎｃ．により販売される製品番号ＷＷ１３０６のＵＢＬ材料（両側がＵＢＬ；坪量１３７ｇ／ｍ２）をフック係合布地として使用した。スペーサー布地のより広いメッシュ構造を、ＵＢＬ材料ＷＷ１３０６に向かって積層させ、積層体は、総坪量が約４８５ｇ／ｍ２であり、厚さが３．２ｍｍである。
【０１００】
Ｍ４：坪量が約３００ｇ／ｍ２で、厚さが４ｍｍの、Ｓｉｔｉｐ  Ｓ．ｐ．Ａ．Ｉｎｄｕｓｔｒｉｅ  Ｔｅｓｓｉｌｉ（チェーネ（ＢＧ）、Ｔｅｓｓｉｌｉ、Ｖｉａ  Ｖａｌｌ’Ａｌｔａ、１３；Ｉ−２４０２０）の商品名ＦＩＬＴＲＯ  Ｓ４５  ３，５＋ＯＰ．ＴＲＡＦ．６  ｎｅｒｏの、フック係合可能なテキスタイルが両側にパターン形成されたポリウレタン発泡積層体。
【０１０１】
Ｍ５：約４ｍｍの幅で、両面に６角形のパターンを有し、坪量が約２６１ｇ／ｍ２で厚さが３．５ｍｍの、Ａｋｋｏｔｅｘ（イタリア、ヴィチェンツァ、Ｖｉａ  ｄｅｌｌ’Ｉｍｐｒｅｓａ，２０；３６０４０  Ｂｒｅｎｄｏｌａ）のＲｅｔｅ  Ｂｉｇ  Ｈｏｌｅ，Ｎｅｒｏという商品名の経編されたスペーサー布地。
【０１０２】
Ｍ６：坪量が約３１４ｇ／ｍ２で厚さが３ｍｍの、Ｍｕｌｌｅｒ  Ｔｅｘｔｉｌ  ＧｍｂＨにより商品名３ＭＥＳＨで販売される製品番号６００４の経編されたスペーサー布地。
【０１０３】
Ｒ７：坪量が約４７４ｇ／ｍ２で厚さが３．８ｍｍの、Ｂａｌｌ＆Ｓｏｎ  Ｌｉｍｉｔｅｄ（商号Ｂａｌｔｅｘ）（登録番号第５３５６６４号）（登記上の本社、Ｂｕｒｒ  Ｌａｎｅ、Ｉｌｋｅｓｔｏｎ、Ｄｅｒｂｙｓｈｉｒｅ  ＤＥ７  ５ＪＤ）のスペーサー布地とフック係合層表面とからなる２層積層体。
【０１０４】
Ｒ８：約６０ｇ／ｍ２のコーティング重量の熱溶融ウレタン接着剤を用いて積層され、細孔性を可能にするために適用される、スペーサー布地とマイクロフック係合布地との積層体。Ｍｕｌｌｅｒ  Ｔｅｘｔｉｌにより商品名３ＭＥＳＨで販売される製品番号Ｔ５９５７−０３００−１６００−９００５の経編されたスペーサー布地（坪量約２８５ｇ／ｍ２）をスペーサー布地として使用し、Ｇｅｈｒｉｎｇ  Ｔｅｘｔｉｌｅｓ  Ｉｎｃ．の製品番号ＷＷ９８３のＵＢＬ布地をマイクロフック係合布地。得られた積層体において、有孔布地のＵＢＬ面とスペーサー布地のより広いメッシュ構造を有する表面とが、積層体材料の外側表面を形成するように積層させ、積層体は、総坪量が約４７０ｇ／ｍ２であり、厚さが３．８ｍｍである。
【０１０５】
Ｃ１：坪量が約５７５ｇ／ｍ２で厚さが２．５ｍｍの、Ｃｉｒｃａｉｄ  Ｍｅｄｉｃａｌ  Ｐｒｏｄｕｃｔｓ（米国、カリフォルニア州、サンディエゴ、９２１２３）により商品名ＪＵＸＴＡＣＵＲＥＳＳで販売される圧迫製品の布地。
【０１０６】
材料の性質についての試験結果
【表１】
0006611808.tif 000002
【表２】
0006611808.tif 000003
【０１０７】
材料Ｍ１〜Ｍ６、Ｒ７及びＲ８のそれぞれについて測定した張力対伸長曲線を図１３Ａ〜図１３Ｈにそれぞれ示す。
【０１０８】
本明細書に記載するスリーブでの使用時には、Ｍ３材料の機械方向が、スリーブの横断方向に配向されるのが有利である。Ｍ１、Ｍ２、Ｍ４〜Ｍ６の材料の場合、好ましくは、機械方向又はクロスウェブ方向のいずれが、スリーブの横断方向に沿って使用され得る。そのような状況では、スリーブの横断方向の初期張力−伸長傾斜がより低い材料方向を使用するのが有利であることが分かった。
【表３】
0006611808.tif 000004
【表４】
0006611808.tif 000005
【０１０９】
圧迫に関連する特性に対する試験方法
圧迫システムに関連する特性について材料を評価するために、以下の試験方法を作成し、使用した。圧迫療法の有効性は主に、加えられた圧力、及び圧迫システムにおいて使用される材料の剛性に依存する。下記の第１の方法は、横たわった姿勢から立ち上がった時の脚の周長がよく知られているように１ｃｍ単位で増えることを模倣し、圧力差を測定することによって、加えられた圧力及び材料の剛性を評価する単純なインビトロ方法を提供する。第２の方法は、具体的には不規則な表面に均一に圧力を加える材料の能力に関係する、材料の形状適合性を評価する単純なインビトロ方法を提供する。
【０１１０】
インビトロの静的剛性指標についての試験法
回転軸に沿って二等分される、半径が４ｃｍで長さが２３ｃｍのポリアセター製シリンダを使用して、手足をシミュレートした。シリンダの端部から３．５ｃｍ離れた距離でシリンダの回転軸に垂直に延びる２つの孔の中に配置された２つのねじと対応するナットとを用いて、シリンダ半体を組み付けた。シリンダの端部から５ｃｍ離れた距離で他のねじに対して平行に延びる２つの孔に、２つの追加のねじ及び対応するナットを提供した。外側ねじを、内側ねじに対する対抗ねじとして使用して、５ｍｍの２つのシリンダ半体間のギャップを予備調整した。内側ねじを用いて、外側の対抗ねじにより与えられる限界まで回すことによって、予備調整した距離（５ｍｍ）までシリンダ半体を離すことができた。縁部から１ｃｍ離れた距離でシリンダの周りに置かれた２つの弾性リングは、内側ねじが外に動いた時に、シリンダ半体を互いに接触させたままに保った。この機構により、１センチメートルの違いでのシリンダ周長の変更を簡単かつ再現可能とすることが可能になった。直径約５０ｍｍのＭｉｃｒｏＬａｂ  Ｅｌｅｔｔｒｏｎｉｃａ（イタリア）のＰｉｃｏ  Ｐｒｅｓｓ圧力センサーを、ねじの中間でテープ（３Ｍ、＃４７１  ＰＶＣテープ）のストライプを用いて、一方のシリンダ半体の外側の中央に固定した。テープは、センサー自体のブラダーではなく、連結されたチューブの端部に接触した。センサーを、ＭｉｃｒｏＬａｂ  Ｅｌｅｔｔｒｏｎｉｃａ  Ｓａｓ（イタリア、Ｒｏｎｃａｇｌｉａ  ｄｉ  Ｐｏｎｔｅ  Ｓａｎ  Ｎｉｃｏｌｏ（ＰＤ））のＰｉｃｏ  Ｐｒｅｓｓ圧力測定ユニットと連結した。
【０１１１】
長さが２５ｃｍで幅が１５ｃｍのストリップ試験試料を、測定方向に対して平行な長さで切断した、即ち、試料の長さが、測定される材料製造方向、即ち、材料の機械方向（ＭＤ）又はクロスウェブ方向（ＣＷ））に対して平行となるようにストリップを切断した。少なくとも２４時間、同じ条件で試料を保管した後に、２３℃、５０％ＲＨで、以下の手順を実行した。
【０１１２】
試験試料をシリンダに巻く前に、シリンダ半体間のギャップをゼロに設定し、センサーを較正した。試験試料をシリンダに巻き、それにより、適用可能な場合には、外に向いたフック係合表面及びテキスタイル試料の２つの細い端部は、互いに向かって、シリンダのセンサーの反対側に配置された。試験試料の２つの端部を互いに向かって均一に引っ張り、次いで、１１ｍｍＨｇ（１．５ｋＰａ）〜１５ｍｍＨｇ（２．０ｋＰａ）の初期圧力読み取り値がセンサー上に提供されるように固定した。フック係合外側表面を有するような試験試料の場合、Ｖｅｌｃｒｏ  ＵＳＡ  Ｉｎｃｏｒｐｏｒａｔｅｄ（米国、ＮＨ  ０３１０３、マンチェスター、Ｂｒｏｗｎ  Ａｖｅｎｕｅ、４０６）のＶｅｌｃｒｏ（登録商標）フックバンド＃８８の５ｃｍｘ１５ｃｍ片により、Ｖｅｌｃｒｏ（登録商標）フックバンド＃８８の長辺を試験試料の端部に対して平行に配置して、端部を一緒に保持した。他の試験試料の場合、試験試料の端部を一緒に縫い付け、縫い付けた後、必要な場合には、所望の初圧読み取り値を達成するために、異なる直径を有する中実の、非圧迫性材料で作製された１つ以上のバーを、所望の圧力読み取り値に達するまで試験試料とシリンダとの間に挿入した。バーは、測定の間、定位置のままであった。
【０１１３】
次いで、シリンダ半体間のギャップが５ｍｍになるまでねじは回した。ねじを回すために（単にこのために）、重なっているテキスタイル試料（ねじを覆っている）の縁部を、レンチがねじに達することができるように、縁部側のそれぞれで最大２ｃｍ局所的に移動させなければならなかった。ねじを回した後、縁部は元の場所に戻った。このステップの後、シリンダ半体を再び１つにし、得られた圧力読み取り値が１０ｍｍＨｇ（１．３ｋＰａ）〜１５ｍｍＨｇ（２．０ｋＰａ）の範囲内であるかどうか検査した。この範囲になっていない場合には、最後の２つのステップを繰り返した。この範囲である場合には、シリンダ半体の距離を再び５ｍｍ離し、しばらく保持した後に圧力を読み取り、「拡張圧力」として記録した。次いで、シリンダ半体間のギャップを再び近づけ、しばらく保持した後に圧力を読み取り、「静止圧力」として記録した。
【０１１４】
拡張圧力読み取り値から静止圧力読み取り値を減算し、得られた値を周長全体の増大で除算することによって、センチメートル単位、即ち１ｃｍ単位のインビトロの静的剛性指標を算出した。
【０１１５】
形状適合性についての試験法
インビトロＳＳＩ試験で説明した２部式調節シリンダ、即ち形状適合性を測定するためのセットアップと共に図１１及び図１２に概略的に示したシリンダ（８０）を使用した。手足の表面で見られるような硬い表面の外形をシミュレートするために、Ｌｙｒｅｃｏから供給される５０ｍｍ×２３ｍｍｘ１３ｍｍのサイズにトリミングされたボックス型イレーザ（８１；以下、「キューボイド」と称する）（ＥＡＮコード３６６２１６８０１３１６１）を、長辺がシリンダの回転軸に平行で、高さが１３ｍｍとなるように、一方のシリンダ半体の外側に３Ｍビニルテープ＃４７１を用いて取り付けた。シリンダ半体の長手方向及び周方向に対してシリンダ半体の中央にＭｉｃｒｏＬａｂ  Ｅｌｅｔｔｒｏｎｉｃａを配置した。
【０１１６】
長さが２５ｃｍで幅が１５ｃｍのストリップ試験試料を、測定方向に対して平行な長さで切断した、即ち、試料の長さが、測定される材料製造方向、即ち、材料の機械方向（ＭＤ）又はクロスウェブ方向（ＣＷ））に対して平行となるようにストリップを切断した。少なくとも２４時間、同じ条件で試料を保管した後に、２３℃、５０％ＲＨで、以下の手順を実行した。
【０１１７】
シリンダ（８０）上に試験試料（９０）を配置する前に、キューボイドが、テーブルトップと、テーブルトップに平行な２つのシリンダ半体の間の境界面とに向くように、シリンダを回転させた。試験試料の一方の細い端部（９１；図１２のみに見える）を中央に配置し、試料がシリンダ表面には接触せずに下向きにさがるように、２つのシリンダ半体の間に長さ１センチメートルにわたってクランプ留めする。（フック係合表面を有する試料の場合、前記表面をシリンダ表面から離れて配置した。）試験試料の他方の他の細い端部（９２）には、幅６ｃｍ金属クランプ（８２）（重量０．０４８ｋｇ）を取り付け、次いで、このクランプ上に１．５ｋｇの重り（８３）を取り付けた。
【０１１８】
重り（８３）を取り付けてすぐに、１〜２秒以内に手動でシリンダ（８０）を１８０度回転させると、キューボイド（８１）が提供されたシリンダ半体を試験試料（９０）が覆い、試験試料は、外形表面を覆ってテーブルトップに向かって掛かる。この構成は、図１１及び図１２に示されている。次いで、約１分の保持期間の後、ギャップ（８４、８５）がある場合にはその高さを測定した。具体的には、シリンダの長さに沿って延び、試験試料の重りがついて端部の近くの、キューボイドの長面に対して平行な位置で、２つの試料縁部におけるシリンダの外側表面と試験試料の内面との間の距離を、キャリパにより測定した。報告値は２つの測定値の平均である。
【０１１９】
圧迫に関連する特性の試験結果
【表５】
0006611808.tif 000006
【表６】
0006611808.tif 000007
【０１２０】
本発明の範囲及び趣旨を逸脱することなく、本発明の様々な修正及び改変が当業者には
明らかとなるであろう。本発明は、本明細書に記載された例示的な実施形態及び実施例に
よって過度に限定されることを意図するものではなく、そのような実施例及び実施形態は
、例としてのみ提示されるものであり、本発明の範囲は、以下のように本明細書に記載さ
れる、請求項によってのみ限定されることを意図するものである点を理解されたい。
以下、本発明の態様について説明する。
〔態様１〕
使用者の身体部分に圧迫を加えるための圧迫システムであって、
使用者の前記身体部分の一部分を実質的に覆うためのスリーブを備え、
前記スリーブは、２つの横方向側縁部を有し、第１の横方向側縁部から第２の横方向側縁部への横断方向において、前記スリーブは、第１の横方向側領域、中央領域、及び第２の横方向側領域を備え、
前記スリーブの少なくとも前記中央領域は、前記スリーブの前記横断方向及び長手方向に弾性を有する材料（主材料）を含み、
前記主材料は、前記スリーブの前記横断方向における１０Ｎ／ｃｍ幅の荷重下での最大伸長率は５％〜３５％以下であり、力／ｃｍ幅は０．１Ｎ／ｃｍ〜０．９Ｎ／ｃｍの範囲である領域における張力−伸長曲線の傾斜が０．９Ｎ／（ｃｍ・％）以下であるように、前記スリーブの前記方向のうちの１つ（第１のスリーブ方向）に張力及び伸長特性を有し、
前記圧迫システムは、解放可能な閉鎖システムを更に備え、前記閉鎖システムは、使用時に、前記閉鎖システムの閉鎖に際して、前記スリーブは前記使用者の前記身体部分の周囲で拘束され、締め付けられるように前記スリーブに対して構成及び配置される、使用者の身体部分に圧迫を加えるための圧迫システム。
〔態様２〕
前記主材料は、力／ｃｍ幅は０．１Ｎ／ｃｍ〜０．９Ｎ／ｃｍの範囲の曲線の領域における張力−伸長曲線の前記傾斜が０．９Ｎ／（ｃｍ・％）以下、具体的には０．７５Ｎ／（ｃｍ・％）以下、より具体的には０．５０Ｎ／（ｃｍ・％）以下、最も具体的には０．３Ｎ／（ｃｍ・％）以下であるように、前記第２のスリーブ方向に張力及び伸長特性を有する、態様１に記載の圧迫システム。
〔態様３〕
前記主材料は、前記張力対伸長曲線の傾斜が０．０５Ｎ／（ｃｍ・％）以上であるように、前記第２のスリーブ方向に張力及び伸長特性を有する、態様２に記載の圧迫システム。
〔態様４〕
前記主材料は、前記張力対伸長曲線の傾斜が０．７５Ｎ／（ｃｍ・％）以下、具体的には０．５０Ｎ／（ｃｍ・％）以下、より具体的には０．３Ｎ／（ｃｍ・％）以下であるように、前記第１のスリーブ方向に張力及び伸長特性を有する、態様１〜３のいずれか一項に記載の圧迫システム。
〔態様５〕
前記主材料は、前記張力対伸長曲線の傾斜が０．０５Ｎ／（ｃｍ・％）以上であるように、前記第１のスリーブ方向に張力及び伸長特性を有する、態様１〜４のいずれか一項に記載の圧迫システム。
〔態様６〕
前記第１のスリーブ方向は、前記スリーブの前記横断方向である、態様１〜５のいずれか一項に記載の圧迫システム。
〔態様７〕
前記主材料の前記スリーブの前記横断方向における最大伸長率は、１０Ｎ／ｃｍ幅の荷重下で３３％以下、具体的には３０％以下である、態様１〜６のいずれか一項に記載の圧迫システム。
〔態様８〕
前記主材料の前記スリーブの前記横断方向における最大伸長率は、１０Ｎ／ｃｍ幅の荷重下で６％以上、具体的には１０Ｎ／ｃｍ幅の荷重下で７％以上である、態様１〜７のいずれか一項に記載の圧迫システム。
〔態様９〕
前記主材料の前記長手方向における最大伸長率は、１０Ｎ／ｃｍ幅の荷重下で５％〜７０％以下である、態様１〜８のいずれか一項に記載の圧迫システム。
〔態様１０〕
前記主材料の前記長手方向における最大伸長率は、１０Ｎ／ｃｍ幅の荷重下で５５％以下、具体的には４５％以下である、態様９に記載の圧迫システム。
〔態様１１〕
前記主材料の前記長手方向における最大伸長率は、１０Ｎ／ｃｍ幅の荷重下で７％以上、具体的には１２％以上である、態様９又は１０に記載の圧迫システム。
〔態様１２〕
１０Ｎ／ｃｍ幅の荷重下での前記スリーブの前記横断方向における前記主材料の前記最大伸長率は、１０Ｎ／ｃｍ幅の荷重下での前記スリーブの前記長手方向における前記主材料の前記最大伸長率以下である、態様１〜１１のいずれか一項に記載の圧迫システム。
〔態様１３〕
１０Ｎ／ｃｍ幅の荷重下での前記スリーブの前記横断方向及び前記長手方向における前記主材料の前記最大伸長率の合計は、１０％〜７５％以下の範囲内である、態様１〜１２のいずれか一項に記載の圧迫システム。
〔態様１４〕
１０Ｎ／ｃｍ幅の荷重下での前記スリーブの前記横断方向及び前記長手方向における前記主材料の前記最大伸長率の合計は、７０％以下、具体的には６５％以下である、態様１３に記載の圧迫システム。
〔態様１５〕
１０Ｎ／ｃｍ幅の荷重下での前記スリーブの前記横断方向及び前記長手方向における前記主材料の前記最大伸長率の合計は、１４％以上、具体的には１９％以上である、態様１３又は１４に記載の圧迫システム。
〔態様１６〕
前記主材料の前記スリーブの前記横断方向及び／又は前記長手方向の回復伸長率は、９０％以上、具体的には９５％以上である、態様１〜１５のいずれか一項に記載の圧迫システム。
〔態様１７〕
前記主材料の前記横断方向及び／又は前記長手方向の曲げ長さは、２０ｃｍ以下、具体的には１５ｃｍ以下、より具体的には１０ｃｍ以下、最も具体的には５．０ｃｍ以下であり、及び／又は前記主材料の前記横断方向及び／又は前記長手方向の曲げ剛性は、１５０ｍＮ・ｃｍ以下、具体的には１２５ｍＮ・ｃｍ以下、より具体的には７５ｍＮ・ｃｍ以下、最も具体的には３５ｍＮ・ｃｍ以下である、態様１〜１６のいずれか一項に記載の圧迫システム。
〔態様１８〕
前記主材料の内側表面から外側表面の、及び／又は前記外側表面から前記内側表面の空気透過率は、２００Ｐａの試験圧を使用した試験ＩＳＯ  ９２３７−１９９５によれば、少なくとも２０ｃｍ／秒、具体的には少なくとも６０ｃｍ／秒、より具体的には少なくとも１００ｃｍ／秒である、態様１〜１７のいずれか一項に記載の圧迫システム。
〔態様１９〕
前記主材料の内側表面から外側表面までの水蒸気透過率は、ＩＳＯ  １５１０６第１部に従って測定した場合に、１０００ｇ／（ｍ２・２４ｈ）以上、具体的には１６００ｇ／（ｍ２・２４ｈ）以上、より具体的には２２００ｇ／（ｍ２・２４ｈ）以上、最も具体的には２８００ｇ／（ｍ２・２４ｈ）以上である、態様１〜１８のいずれか一項に記載の圧迫システム。
〔態様２０〕
前記主材料の坪量は、１００ｇ／ｍ２以上、具体的には１５０ｇ／ｍ２以上であり、より具体的には２００ｇ／ｍ２以上、更により具体的には２５０ｇ／ｍ２以上である、態様１〜１９のいずれか一項に記載の圧迫システム。
〔態様２１〕
前記主材料の厚さは、０．５ｍｍ以上、具体的には１．０ｍｍ以上、より具体的には１．４ｍｍ以上、更により具体的には１．８ｍｍ以上である、態様１〜２０のいずれか一項に記載の圧迫システム。
〔態様２２〕
前記布地の厚さは、６．０ｍｍ以下、具体的には５．２ｍｍ以下、より具体的には４．４ｍｍ以下、更により具体的には３．６ｍｍ以下である、態様１〜２１のいずれか一項に記載の圧迫システム。
〔態様２３〕
前記主材料は、発泡材及び／又は繊維性布地を含む、態様１〜２２のいずれか一項に記載の圧迫システム。
〔態様２４〕
前記主材料は、織布又は編地、具体的にはスペーサー編布、より具体的には経編されたスペーサー布地を含む、態様２３に記載の圧迫システム。
〔態様２５〕
前記中央領域の面積は、前記スリーブの全面積の少なくとも４０％（具体的には少なくとも４５％、より具体的には少なくとも５０％）である、態様１〜２４のいずれか一項に記載の圧迫システム。
〔態様２６〕
スリーブの高さの２／３に相当する高さにおいて、前記スリーブの前記中央領域は、前記スリーブの横断方向に前記スリーブを横切って４０％以上に延びている、態様１〜２５のいずれか一項に記載の圧迫システム。
〔態様２７〕
前記スリーブの前記中央領域の全面積の少なくとも８５％（具体的には少なくとも９０％、より具体的には少なくとも９５％）は、前記主材料で作製される、態様１〜２６のいずれか一項に記載の圧迫システム。
〔態様２８〕
前記第１の横方向側領域及び前記第２の横方向側領域の１０Ｎ／ｃｍの荷重下での前記横断方向における最大伸長率は、前記スリーブの前記中央領域の１０Ｎ／ｃｍの荷重下での前記横断方向における前記最大伸長率以下を示し、
及び／又は
前記第１の横方向側領域及び前記第２の横方向側領域の１０Ｎ／ｃｍの荷重下での前記長手方向における最大伸長率は、前記スリーブの前記中央領域の１０Ｎ／ｃｍの荷重下での前記長手方向における前記最大伸長率以下を示す、態様１〜２７のいずれか一項に記載の圧迫システム。
〔態様２９〕
前記身体部分は手足であり、前記スリーブは、前記スリーブが前記手足の少なくとも１つの主要筋にわたって延びており前記手足の一部分を覆うように構成及び配置され、前記主要筋は、前脛骨筋、ヒラメ筋、腓腹筋、大腿二頭筋、大腿直筋、内側広筋、中間広筋、外側広筋から選択され、又は
前記身体部分は手足であり、前記スリーブは、前記スリーブが前記手足の少なくとも１つの主要筋にわたって延びており前記手足の一部分を覆うように構成及び配置され、前記主要筋は、橈側手根屈筋、尺側手根屈筋、長掌筋、腕橈骨筋、上腕二頭筋、上腕三頭筋、上腕筋から選択される、態様１〜２８のいずれか一項に記載の圧迫システム。
〔態様３０〕
前記スリーブ及び前記閉鎖システムは、使用時に、前記閉鎖システムの閉鎖に際して、前記スリーブの２つの前記横方向縁部同士は互いに引き寄せられるが重なり合わないように構成及び配置されている、態様１〜２９のいずれか一項に記載の圧迫システム。
〔態様３１〕
前記閉鎖システムは、機械的締結閉鎖システムを備える、態様１〜３０のいずれか一項に記載の圧迫システム。
〔態様３２〕
前記スリーブの前記第１の横方向側領域に、複数の締結バンドは前記スリーブの実質的に前記長手方向に沿って連続に提供されている、態様１〜３１のいずれか一項に記載の圧迫システム。
〔態様３３〕
前記締結バンドは、前記締結バンドが前記スリーブの前記第１の横方向側縁部から前記スリーブの実質的に前記横断方向に延びているように、前記スリーブの前記第１の横方向側領域と一体的であり、又は
前記締結バンドのそれぞれは近位端部分を備え、前記近位端部分は、前記バンドが前記第１の横方向側縁部にわたって前記スリーブの実質的に前記横断方向に延びるように、前記スリーブの前記第１の横方向側領域に解放可能に又は固定的に取り付けられている、態様３２に記載の圧迫システム。
〔態様３４〕
締結バンドのそれぞれは、遠位端部分を備え、それぞれのバンドは、前記締結バンドの遠位端部分が前記スリーブの前記中央部分から離れて位置付けられた状態で、前記スリーブの実質的に前記横断方向に延びており、前記締結バンドの前記遠位端部分は、機械的締結要素、具体的にはオス締結要素、より具体的には、フックファスナー、マッシュルーム形ファスナー、ステム形ファスナー、カップ形ファスナー、Ｔ字形ファスナー、ピン形ファスナー、及びこれらの組み合わせからなる群から選択されるオス締結要素を備えている、態様３２又は３３に記載の圧迫システム。
〔態様３５〕
締結バンドのそれぞれは、第１の主表面及び第２の主表面を有し、前記第１の主表面は内側に面し、前記第２の主表面は外側に面し、前記遠位端部分の前記機械的締結要素は、前記遠位端部分の前記第１の主表面に提供されている、態様３４に記載の圧迫システム。
〔態様３６〕
前記第２の横方向側領域の前記外側表面は、前記締結バンドの前記遠位端部分の前記第１の主表面上に提供された前記機械的締結要素により係合されるように適合された構造を有しているか又は前記構造が提供されている、態様３５に記載の圧迫システム。
〔態様３７〕
前記第２の横方向側領域の前記外側表面に、前記係合構造は提供され、前記係合構造は、前記第２の横方向側領域に解放可能に又は固定的に取り付けられている、態様３６の記載の圧迫システム。
〔態様３８〕
各締結バンドは、第１の主表面及び第２の主表面を有し、前記第１の主表面は内側に面し、前記第２の主表面は外側に面し、前記遠位端部分の前記機械的締結要素は、前記遠位端部分の前記第２の主表面に提供されている、態様３４に記載の圧迫システム。
〔態様３９〕
前記スリーブの少なくとも第１の横方向側部分の前記外側表面は、前記締結バンドの前記遠位端部分の前記第２の主表面上に前記機械的締結要素により係合されるように適合された構造を有しているか又は前記構造体を提供されており、並びに／あるいは、前記締結バンドは、前記スリーブの前記第１の横方向側領域の前記外側表面に取り付けられた近位端部分を備え、前記バンドの前記近位端部分の前記第２の主表面は、前記締結バンドの前記遠位端部分の前記第２の主表面上に前記機械的締結要素により係合されるように適合された構造を有しているか又は前記構造が提供される、態様３８に記載の圧迫システム。
〔態様４０〕
各リングが締結バンドの反対側に配置されるように、前記スリーブの実質的に前記長手方向に沿って複数のリングは、前記第２の横方向側領域に連続して提供され、前記リングは、前記第２の横方向側領域に解放可能に又は固定的に取り付けられている、態様３８又は態様３９に記載の圧迫システム。
〔態様４１〕
前記第２の横方向側領域は、トリミング可能であるように構成及び配置されている、態様１〜４０のいずれか一項に記載の圧迫システム。
【図１】
0006611808.tif 000008
【図２】
0006611808.tif 000009
【図３】
0006611808.tif 000010
【図４】
0006611808.tif 000011
【図５】
0006611808.tif 000012
【図６】
0006611808.tif 000013
【図７】
0006611808.tif 000014
【図８】
0006611808.tif 000015
【図９】
0006611808.tif 000016
【図１０】
0006611808.tif 000017
【図１１】
0006611808.tif 000018
【図１２】
0006611808.tif 000019
【図１３Ａ】
0006611808.tif 000020
【図１３Ｂ】
0006611808.tif 000021
【図１３Ｃ】
0006611808.tif 000022
【図１３Ｄ】
0006611808.tif 000023
【図１３Ｅ】
0006611808.tif 000024
【図１３Ｆ】
0006611808.tif 000025
【図１３Ｇ】
0006611808.tif 000026
【図１３Ｈ】
0006611808.tif 000027